(57)【要約】  本開示は、端末経路遷移方法、端末状態移行の制御方法、端末および基地局を提供する。当該端末経路遷移方法において、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から取得するステップと、前記制御指令に基づいて、前記ダブルコネクション状態からインアクティブ状態への前記端末の移行を制御するステップと、インアクティブ状態の前記端末が移動すると、リンク接続要求をアクセス先基地局に送信し、前記アクセス先基地局を介してコアネットワークにアクセスするステップとを含む。【選択図】  図１
2019522444.tif 000002
【特許請求の範囲】
【請求項１】
第１ＲＡＴ（Ｒａｄｉｏ  Ａｃｃｅｓｓ  Ｔｅｃｈｎｏｌｏｇｙ）で第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から取得するステップと、
前記制御指令に基づいて、前記ダブルコネクション状態からインアクティブ状態への前記端末の移行を制御するステップと、
インアクティブ状態の前記端末が移動すると、リンク接続要求をアクセス先基地局に送信し、前記アクセス先基地局を介してコアネットワークにアクセスするステップとを含む端末経路遷移方法。
【請求項２】
前記制御指令に基づいて、前記ダブルコネクション状態からインアクティブ状態への前記端末の移行を制御するステップの前に、
第１ＲＡＴリンク配置情報と第２ＲＡＴリンク配置情報を前記第１アクセス元基地局から取得することをさらに含み、
前記第１ＲＡＴリンク配置情報には、第１所定活動領域および第１端末ＩＤ情報が含まれ、
前記第２ＲＡＴリンク配置情報には、第２所定活動領域および第２端末ＩＤ情報が含まれ、
前記第１アクセス元基地局は、前記第２ＲＡＴリンク配置情報を前記第２アクセス元基地局から取得する請求項１に記載の端末経路遷移方法。
【請求項３】
リンク接続要求をアクセス先基地局に送信し、前記アクセス先基地局を介してコアネットワークにアクセスするステップは、
前記第１端末ＩＤ情報および／または前記第２端末ＩＤ情報が付帯されるＲＲＣメッセージによってリンク接続要求をアクセス先基地局に送信し、前記アクセス先基地局を介してコアネットワークにアクセスすることを含む請求項２に記載の端末経路遷移方法。
【請求項４】
インアクティブ状態の前記端末の移動を検出すると、リンク接続要求をアクセス先基地局に送信し、前記アクセス先基地局を介してコアネットワークにアクセスするステップは、
インアクティブ状態の前記端末が前記第１所定活動領域から前記第２所定活動領域に移動しまたは前記第１所定活動領域と前記第２所定活動領域から離れることを検出すると、リンク接続要求をアクセス先基地局に送信し、前記アクセス先基地局を介してコアネットワークにアクセスすることを含む請求項２または３に記載の端末経路遷移方法。
【請求項５】
前記アクセス先基地局は、前記第２アクセス元基地局であり、
リンク接続要求をアクセス先基地局に送信し、前記アクセス先基地局を介してコアネットワークにアクセスするステップは、
前記第２端末ＩＤ情報と第１端末ＩＤ情報が付帯されたリンク接続要求を前記第２アクセス元基地局に送信することと、
前記第１端末ＩＤ情報または前記第２端末ＩＤ情報に基づいて、前記第２アクセス元基地局とのコネクションを回復し、前記第２アクセス元基地局を介してコアネットワークにアクセスすることを含む請求項２または３に記載の端末経路遷移方法。
【請求項６】
前記アクセス先基地局は、前記第１アクセス元基地局と前記第２アクセス元基地局以外の基地局であり、
リンク接続要求をアクセス先基地局に送信し、前記アクセス先基地局を介してコアネットワークにアクセスするステップは、
前記第１端末ＩＤ情報と前記第２端末ＩＤ情報が付帯されたリンク接続要求を前記アクセス先基地局に送信することと、
前記第１端末ＩＤ情報または前記第２端末ＩＤ情報に基づいて、前記アクセス先基地局とのコネクションを確立し、前記アクセス先基地局を介してコアネットワークにアクセスすることを含む請求項２または３に記載の端末経路遷移方法。
【請求項７】
インアクティブ状態の前記端末の移動を検出すると、リンク接続要求をアクセス先基地局に送信し、前記アクセス先基地局を介してコアネットワークにアクセスするステップの後に、
アクセス先基地局から当該端末に割り当てる端末ＩＤ情報と移動可能な領域が含まれる再配置情報を、前記アクセス先基地局から取得することをさらに含む請求項１に記載の端末経路遷移方法。
【請求項８】
端末であって、
第１ＲＡＴで第１アクセス元基地局との通信コネクションが確立されるとともに、第２ＲＡＴで第２アクセス元基地局との通信コネクションが確立される状態である前記端末のダブルコネクション状態からインアクティブ状態への前記端末の移行を制御する制御指令を、第１ＲＡＴで前記端末と通信する前記第１アクセス元基地局から取得することに用いられる第１取得モジュールと、
前記制御指令に基づいて、前記ダブルコネクション状態からインアクティブ状態への前記端末の移行を制御することに用いられる制御モジュールと、
インアクティブ状態の前記端末の移動を検出すると、リンク接続要求をアクセス先基地局に送信し、前記アクセス先基地局を介してコアネットワークにアクセスすることに用いられる処理モジュールとを含む端末。
【請求項９】
第１所定活動領域および第１端末ＩＤ情報が含まれる第１ＲＡＴリンク配置情報と、第２所定活動領域および第２端末ＩＤ情報が含まれ、前記第１アクセス元基地局が前記第２アクセス元基地局から取得する第２ＲＡＴリンク配置情報を、前記第１アクセス元基地局から取得することに用いられる第２取得モジュールをさらに含む請求項８に記載の端末。
【請求項１０】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得するステップと、
前記リンク接続要求に基づいて、前記端末のリンクアクセス情報を取得するステップと、
前記リンクアクセス情報に基づいて、前記端末とのコネクションを確立し、前記端末がコアネットワークにアクセスするステップとを含む端末経路遷移方法。
【請求項１１】
ダブルコネクション状態からインアクティブ状態へ移行する端末から送信されるリンク接続要求を取得するステップは、
ダブルコネクション状態からインアクティブ状態へ移行する端末から送信されるリンク接続要求をＲＲＣメッセージによって取得することを含み、
前記リンク接続要求は、端末がインアクティブ状態より前のダブルコネクション状態にあるときに、第１アクセス元基地局から送信される第１端末ＩＤ情報と第２端末ＩＤ情報を含み、
第１端末ＩＤ情報は、第１アクセス元基地局に対応する第１ＲＡＴリンク配置情報のうちの端末ＩＤであり、
前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである請求項１０に記載の端末経路遷移方法。
【請求項１２】
前記リンク接続要求に基づいて、前記端末のリンクアクセス情報を取得するステップは、
前記第１端末ＩＤ情報または前記第２端末ＩＤ情報に基づいて、前記端末のコンテキスト情報を取得するステップを含む請求項１１に記載の端末経路遷移方法。
【請求項１３】
前記第１端末ＩＤ情報または前記第２端末ＩＤ情報に基づいて、前記端末のコンテキスト情報を取得するステップは、
前記第１アクセス元基地局と前記第２アクセス元基地局の両方に前記端末のコンテキスト情報が保存されているのであれば、前記第１端末ＩＤ情報に基づいて、前記第１アクセス元基地局から前記端末のコンテキスト情報を取得し、または、前記第２端末ＩＤ情報に基づいて、前記第２アクセス元基地局から前記端末のコンテキスト情報を取得することと、
前記第１アクセス元基地局に前記端末のコンテキスト情報が保存され、前記第２アクセス元基地局に前記端末のコンテキスト情報が保存されていないのであれば、前記第１端末ＩＤ情報に基づいて、前記第１アクセス元基地局から前記端末のコンテキスト情報を取得することと、
前記第２アクセス元基地局に前記端末のコンテキスト情報が保存され、前記第１アクセス元基地局に前記端末のコンテキスト情報が保存されていないのであれば、前記第２端末ＩＤ情報に基づいて、前記第２アクセス元基地局から前記端末のコンテキスト情報を取得することを含む請求項１２に記載の端末経路遷移方法。
【請求項１４】
前記リンクアクセス情報に基づいて、前記端末とのコネクションを確立し、前記端末がコアネットワークにアクセスするステップは、
前記第２アクセス元基地局とコアネットワークの接続経路の解放を、前記第１アクセス元基地局から前記第２アクセス元基地局に通知し、かつアクセス先基地局のＲＡＴタイプと第２アクセス元基地局のＲＡＴタイプとは同一であれば、前記端末のリンクアクセス情報に基づいて、前記アクセス先基地局とコアネットワークの接続経路を確立し、前記端末が前記アクセス先基地局とコアネットワークの接続経路を介してコアネットワークにアクセスするステップを含む請求項１０に記載の端末経路遷移方法。
【請求項１５】
前記端末が前記アクセス先基地局とコアネットワークの接続経路を介してコアネットワークにアクセスするステップの後に、
前記第１アクセス元基地局と前記コアネットワークの接続経路の解放を、前記第１アクセス元基地局に通知することをさらに含む請求項１４に記載の端末経路遷移方法。
【請求項１６】
前記リンクアクセス情報に基づいて、前記端末とのコネクションを確立し、前記端末がコアネットワークにアクセスするステップは、
前記第２アクセス元基地局とコアネットワークの接続経路の一時中断を、前記第１アクセス元基地局から前記第２アクセス元基地局に通知し、かつアクセス先基地局が前記第２アクセス元基地局であれば、前記端末のリンクアクセス情報に基づいて、前記第２アクセス元基地局とコアネットワークの接続経路を回復し、回復した前記第２アクセス元基地局とコアネットワークの接続経路を介して、前記端末がコアネットワークにアクセスするステップを含む請求項１０に記載の端末経路遷移方法。
【請求項１７】
回復した前記第２アクセス元基地局とコアネットワークの接続経路を介して、前記端末がコアネットワークにアクセスするステップの後に、
前記第１アクセス元基地局と前記コアネットワークの接続経路の一時中断を、前記第１アクセス元基地局に通知することをさらに含む請求項１６に記載の端末経路遷移方法。
【請求項１８】
前記リンクアクセス情報に基づいて、前記端末とのコネクションを確立し、前記端末がコアネットワークにアクセスするステップは、
前記第２アクセス元基地局とコアネットワークの接続経路の保持を、前記第１アクセス元基地局から前記第２アクセス元基地局に通知するのであれば、前記端末のリンクアクセス情報に基づいて、アクセス先基地局とコアネットワークの接続経路を確立し、前記端末が前記アクセス先基地局とコアネットワークの接続経路を介してコアネットワークにアクセスするステップを含む請求項１０に記載の端末経路遷移方法。
【請求項１９】
前記端末が前記アクセス先基地局とコアネットワークの接続経路を介してコアネットワークにアクセスするステップの後に、
前記アクセス先基地局とはＲＡＴタイプが同一であるアクセス元基地局に対しコアネットワークとの接続経路の解放を通知することをさらに含む請求項１８に記載の端末経路遷移方法。
【請求項２０】
前記リンクアクセス情報に基づいて、前記端末とのコネクションを確立し、前記端末がコアネットワークにアクセスするステップの後に、
アクセス先基地局から当該端末に割り当てる端末ＩＤ情報と移動可能な領域が含まれる再配置情報を、前記端末に送信することをさらに含む請求項１０に記載の端末経路遷移方法。
【請求項２１】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得することに用いられる第３取得モジュールと、
前記リンク接続要求に基づいて、前記端末のリンクアクセス情報を取得することに用いられる第４取得モジュールと、
前記リンクアクセス情報に基づいて、前記端末とのコネクションを確立し、前記端末がコアネットワークにアクセスすることに用いられる接続モジュールとを含む基地局。
【請求項２２】
前記第３取得モジュールは、
ダブルコネクション状態からインアクティブ状態へ移行する端末から送信されるリンク接続要求をＲＲＣメッセージによって取得することに用いられ、
前記リンク接続要求は、端末がインアクティブ状態より前のダブルコネクション状態にあるときに、第１アクセス元基地局から送信される第１端末ＩＤ情報と第２端末ＩＤ情報を含み、
第１端末ＩＤ情報は、第１アクセス元基地局に対応する第１ＲＡＴリンク配置情報のうちの端末ＩＤであり、
前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである請求項２１に記載の基地局。
【請求項２３】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するステップと、
前記端末が前記制御指令に基づいて前記ダブルコネクション状態からインアクティブ状態へ移行するよう、前記端末のダブルコネクション状態からインアクティブ状態への移行を制御する制御指令を前記端末に送信するステップとを含む端末状態移行の制御方法。
【請求項２４】
端末のダブルコネクション状態からインアクティブ状態への移行を制御する制御指令を生成するステップの後に、
前記端末に対しインアクティブ状態配置を行う通知メッセージを前記第２アクセス元基地局に送信するステップと、
前記第２アクセス元基地局から前記通知メッセージに基づいて送信され、第２所定活動領域および第２端末ＩＤ情報が含まれる第２ＲＡＴリンク配置情報を取得するステップと、
前記第２ＲＡＴリンク配置情報と、第１所定活動領域および第１端末ＩＤ情報が含まれる所定の第１ＲＡＴリンク配置情報を前記端末に送信するステップとをさらに含む請求項２３に記載の端末状態移行の制御方法。
【請求項２５】
前記第２アクセス元基地局から前記通知メッセージに基づいて送信された第２ＲＡＴリンク配置情報を取得するステップの前に、
前記第２アクセス元基地局に前記端末のコンテキスト情報を送信するステップをさらに含み、
よって、前記第２アクセス元基地局は、第２端末ＩＤ情報が付帯されたコンテキスト取得要求をアクセス先基地局から受信すると、前記第２端末ＩＤ情報に基づいて、前記端末のコンテキスト情報を前記第２アクセス元基地局から取得してアクセス先基地局に送信する請求項２４に記載の端末状態移行の制御方法。
【請求項２６】
前記端末のダブルコネクション状態からインアクティブ状態への移行を制御する制御指令を前記端末に送信するステップの後に、
前記第１端末ＩＤ情報が付帯されたコンテキスト取得要求をアクセス先基地局から取得するステップと、
前記第１端末ＩＤ情報に基づいて、前記端末のコンテキスト情報を取得して前記アクセス先基地局に送信するステップとをさらに含む請求項２４に記載の端末状態移行の制御方法。
【請求項２７】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成することに用いられる決定モジュールと、
前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられる第１送信モジュールとを含む基地局。
【請求項２８】
前記端末に対しインアクティブ状態配置を行う通知メッセージを前記第２アクセス元基地局に送信することに用いられる第２送信モジュールと、
前記第２アクセス元基地局から前記通知メッセージに基づいて送信され、第２所定活動領域および第２端末ＩＤ情報が含まれる第２ＲＡＴリンク配置情報を取得することに用いられる第５取得モジュールと、
前記第２ＲＡＴリンク配置情報と、第１所定活動領域および第１端末ＩＤ情報が含まれる所定の第１ＲＡＴリンク配置情報を前記端末に送信することに用いられる第３送信モジュールとをさらに含む請求項２７に記載の基地局。
【請求項２９】
端末に対しインアクティブ状態配置を行う通知メッセージを第１アクセス元基地局から取得するステップと、
前記通知メッセージに基づいて、第２所定活動領域および第２端末ＩＤ情報が含まれる第２ＲＡＴリンク配置情報を前記第１アクセス元基地局に送信するステップとを含み、
前記通知メッセージは、前記端末のダブルコネクション状態からインアクティブ状態への移行を制御する制御指令が第１アクセス元基地局から生成された後に送信され、
前記ダブルコネクション状態は、第１ＲＡＴで前記端末と第１アクセス元基地局との通信コネクションが確立されるとともに、第２ＲＡＴで第２アクセス元基地局との通信コネクションが確立される状態であり、
前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する端末状態移行の制御方法。
【請求項３０】
前記通知メッセージに基づいて、第２ＲＡＴリンク配置情報を前記第１アクセス元基地局に送信するステップの前に、
第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、
第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することをさらに含む請求項２９に記載の端末状態移行の制御方法。
【請求項３１】
端末に対しインアクティブ状態配置を行う通知メッセージを第１アクセス元基地局から取得することに用いられる第６取得モジュールと、
前記通知メッセージに基づいて、第２所定活動領域および第２端末ＩＤ情報が含まれる第２ＲＡＴリンク配置情報を前記第１アクセス元基地局に送信することに用いられる第４送信モジュールとを含み、
前記通知メッセージは、前記端末のダブルコネクション状態からインアクティブ状態への移行を制御する制御指令が第１アクセス元基地局から生成された後に送信され、
前記ダブルコネクション状態は、第１ＲＡＴで前記端末と第１アクセス元基地局との通信コネクションが確立されるとともに、第２ＲＡＴで第２アクセス元基地局との通信コネクションが確立される状態であり、
前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する基地局。
【請求項３２】
第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、
第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することに用いられる第７取得モジュールをさらに含む請求項３１に記載の基地局。
【請求項３３】
プロセッサと、
プロセッサによる操作実行に用いられるデータを記憶することができるメモリと、
データの送受信に用いられるトランシーバを含む端末において、
前記プロセッサは、メモリからプログラムを読み取ることによって、
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から前記トランシーバ経由で取得するプロセスと、
前記制御指令に基づいて、前記ダブルコネクション状態からインアクティブ状態への前記端末の移行を制御するプロセスと、
インアクティブ状態の前記端末の移動を検出すると、リンク接続要求をアクセス先基地局に前記トランシーバ経由で送信し、前記アクセス先基地局を介してコアネットワークにアクセスするプロセスとを実行することに用いられる端末。
【請求項３４】
プロセッサと、
プロセッサによる操作実行に用いられるデータを記憶することができるメモリと、
データの送受信に用いられるトランシーバを含む基地局において、
前記プロセッサは、メモリからプログラムを読み取ることによって、
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を前記トランシーバ経由で取得するプロセスと、
前記リンク接続要求に基づいて、前記端末のリンクアクセス情報を取得するプロセスと、
前記リンクアクセス情報に基づいて、前記端末とのコネクションを確立し、前記端末がコアネットワークにアクセスするプロセスとを実行することに用いられる基地局。
【請求項３５】
プロセッサと、
プロセッサによる操作実行に用いられるデータを記憶することができるメモリと、
データの送受信に用いられるトランシーバを含む基地局において、
前記プロセッサは、メモリからプログラムを読み取ることによって、
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するプロセスと、
前記端末が前記制御指令に基づいて前記ダブルコネクション状態からインアクティブ状態へ移行するよう、前記端末のダブルコネクション状態からインアクティブ状態への移行を制御する制御指令を前記端末に前記トランシーバ経由で送信するプロセスとを実行することに用いられる基地局。
【請求項３６】
プロセッサと、
プロセッサによる操作実行に用いられるデータを記憶することができるメモリと、
データの送受信に用いられるトランシーバを含む基地局において、
前記プロセッサは、メモリからプログラムを読み取ることによって、
端末に対しインアクティブ状態配置を行う通知メッセージを第１アクセス元基地局から前記トランシーバ経由で取得するプロセスと、
前記通知メッセージに基づいて、第２所定活動領域および第２端末ＩＤ情報が含まれる第２ＲＡＴリンク配置情報を前記第１アクセス元基地局に前記トランシーバ経由で送信するプロセスとを実行することに用いられ、
前記通知メッセージは、前記端末のダブルコネクション状態からインアクティブ状態への移行を制御する制御指令が第１アクセス元基地局から生成された後に送信され、
前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態であり、
前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する基地局。
【発明の詳細な説明】
【技術分野】
【０００１】
本願は、２０１６年７月２９日に中国特許庁に提出された中国特許出願２０１６１０６２０９７１．５の優先権を主張し、その全ての内容が援用によりここに取り込まれる。
本開示は、通信応用の技術分野に係り、特に端末経路遷移方法、端末状態移行の制御方法、端末および基地局に係る。
【背景技術】
【０００２】
５Ｇ移動通信システム（ｔｈｅ  ５ｔｈ  Ｇｅｎｅｒａｔｉｏｎ  （５Ｇ）ｍｏｂｉｌｅ  ｃｏｍｍｕｎｉｃａｔｉｏｎ  ｓｙｓｔｅｍｓ）において、ＬＴＥ（Ｌｏｎｇ  Ｔｅｒｍ  Ｅｖｏｌｕｔｉｏｎ）システムと５Ｇシステムの密な提携（ｔｉｇｈｔ  ｉｎｔｅｒｗｏｒｋｉｎｇ）のサポートというニーズがあり、目標とされており、しかも、５Ｇシステムの研究では、新規の状態／子状態、すなわちインアクティブ状態が導入される。当該状態は、無線アクセスネットワークＲＡＮ（Ｒａｄｉｏ  Ａｃｃｅｓｓ  Ｎｅｔｗｏｒｋ）側にユーザ機器のコンテキスト情報（Ｕｓｅｒ  Ｅｑｕｉｐｍｅｎｔ（ＵＥ）  ｃｏｎｔｅｘｔ）が保存されるという点にアイドル状態とは異なり、端末に割り当てる固有リソースがなく、移動性の制御もネットワークによるものではなく、ユーザ機器ＵＥ（Ｕｓｅｒ  Ｅｑｕｉｐｍｅｎｔ）が所定の範囲内でセル再選択のような方式で移動性を行うという点に通常の接続状態とは異なる。ネットワーク配置として５ＧシステムとＬＴＥシステムが同時に存在して互いに密に提携する場合、２つのシステムの基地局が同一端末のサービング基地局になりうる。このような場合、端末がインアクティブ状態に移行しようとし、またはインアクティブ状態のユーザが別システムに移動して動作しようとすると、接続状態とインアクティブ状態の移行および端末経路の遷移をどのように実現することは、解決されるべき問題である。
【発明の概要】
【発明が解決しようとする課題】
【０００３】
本開示の目的は、２つの通信システムの基地局が同時に端末のサービング基地局になる場合、端末状態の移行および経路の遷移を実現するという問題を解決するために、端末経路遷移方法、端末状態移行の制御方法、端末および基地局を提供することである。
【課題を解決するための手段】
【０００４】
上記目的を実現するために、本開示は、端末経路遷移方法を提供する。当該方法において、第１ＲＡＴ（Ｒａｄｉｏ  Ａｃｃｅｓｓ  Ｔｅｃｈｎｏｌｏｇｙ）で第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から取得するステップと、前記制御指令に基づいて、前記ダブルコネクション状態からインアクティブ状態への前記端末の移行を制御するステップと、インアクティブ状態の前記端末が移動すると、リンク接続要求をアクセス先基地局に送信し、前記アクセス先基地局を介してコアネットワークにアクセスするステップとを含む。
【０００５】
ここで、前記制御指令に基づいて、前記ダブルコネクション状態からインアクティブ状態への前記端末の移行を制御するステップの前に、前記方法において、第１ＲＡＴリンク配置情報と第２ＲＡＴリンク配置情報を前記第１アクセス元基地局から取得することをさらに含む。前記第１ＲＡＴリンク配置情報には、第１所定活動領域および第１端末ＩＤ情報が含まれる。前記第２ＲＡＴリンク配置情報には、第２所定活動領域および第２端末ＩＤ情報が含まれる。前記第１アクセス元基地局は、前記第２ＲＡＴリンク配置情報を前記第２アクセス元基地局から取得する。
【０００６】
ここで、リンク接続要求をアクセス先基地局に送信し、前記アクセス先基地局を介してコアネットワークにアクセスするステップは、前記第１端末ＩＤ情報および／または前記第２端末ＩＤ情報が付帯されるＲＲＣ（Ｒａｄｉｏ  Ｒｅｓｏｕｒｃｅ  Ｃｏｎｔｒｏｌ）メッセージによってリンク接続要求をアクセス先基地局に送信し、前記アクセス先基地局を介してコアネットワークにアクセスすることを含む。
【０００７】
ここで、インアクティブ状態の前記端末の移動を検出すると、リンク接続要求をアクセス先基地局に送信し、前記アクセス先基地局を介してコアネットワークにアクセスするステップは、インアクティブ状態の前記端末が前記第１所定活動領域から前記第２所定活動領域に移動しまたは前記第１所定活動領域と前記第２所定活動領域から離れることを検出すると、リンク接続要求をアクセス先基地局に送信し、前記アクセス先基地局を介してコアネットワークにアクセスすることを含む。
【０００８】
ここで、前記アクセス先基地局は、前記第２アクセス元基地局であり、リンク接続要求をアクセス先基地局に送信し、前記アクセス先基地局を介してコアネットワークにアクセスするステップは、前記第２端末ＩＤ情報と第１端末ＩＤ情報が付帯されたリンク接続要求を前記第２アクセス元基地局に送信することと、前記第１端末ＩＤ情報または前記第２端末ＩＤ情報に基づいて、前記第２アクセス元基地局とのコネクションを回復し、前記第２アクセス元基地局を介してコアネットワークにアクセスすることを含む。
【０００９】
ここで、前記アクセス先基地局は、前記第１アクセス元基地局と前記第２アクセス元基地局以外の基地局であり、リンク接続要求をアクセス先基地局に送信し、前記アクセス先基地局を介してコアネットワークにアクセスするステップは、前記第１端末ＩＤ情報と前記第２端末ＩＤ情報が付帯されたリンク接続要求を前記アクセス先基地局に送信することと、前記第１端末ＩＤ情報または前記第２端末ＩＤ情報に基づいて、前記アクセス先基地局とのコネクションを確立し、前記アクセス先基地局を介してコアネットワークにアクセスすることを含む。
【００１０】
ここで、インアクティブ状態の前記端末の移動を検出すると、リンク接続要求をアクセス先基地局に送信し、前記アクセス先基地局を介してコアネットワークにアクセスするステップの後に、前記方法において、アクセス先基地局から当該端末に割り当てる端末ＩＤ情報と移動可能な領域が含まれる再配置情報を、前記アクセス先基地局から取得することをさらに含む。
【００１１】
上記目的を実現するために、本開示の実施例は、端末を提供する。当該端末は、第１ＲＡＴで第１アクセス元基地局との通信コネクションが確立されるとともに、第２ＲＡＴで第２アクセス元基地局との通信コネクションが確立される状態である前記端末のダブルコネクション状態からインアクティブ状態への前記端末の移行を制御する制御指令を、第１ＲＡＴで前記端末と通信する前記第１アクセス元基地局から取得することに用いられる第１取得モジュールと、前記制御指令に基づいて、前記ダブルコネクション状態からインアクティブ状態への前記端末の移行を制御することに用いられる制御モジュールと、インアクティブ状態の前記端末の移動を検出すると、リンク接続要求をアクセス先基地局に送信し、前記アクセス先基地局を介してコアネットワークにアクセスすることに用いられる処理モジュールとを含む。
【００１２】
ここで、上記端末は、第１所定活動領域および第１端末ＩＤ情報が含まれる第１ＲＡＴリンク配置情報と、第２所定活動領域および第２端末ＩＤ情報が含まれ、前記第１アクセス元基地局が前記第２アクセス元基地局から取得する第２ＲＡＴリンク配置情報を、前記第１アクセス元基地局から取得することに用いられる第２取得モジュールをさらに含む。
【００１３】
上記技術問題を解決するために、本開示の実施例は、端末経路遷移方法を提供する。当該方法において、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得するステップと、前記リンク接続要求に基づいて、前記端末のリンクアクセス情報を取得するステップと、前記リンクアクセス情報に基づいて、前記端末とのコネクションを確立し、前記端末がコアネットワークにアクセスするステップとを含む。
【００１４】
ここで、ダブルコネクション状態からインアクティブ状態へ移行する端末から送信されるリンク接続要求を取得するステップは、ダブルコネクション状態からインアクティブ状態へ移行する端末から送信されるリンク接続要求をＲＲＣメッセージによって取得することを含む。前記リンク接続要求は、端末がインアクティブ状態より前のダブルコネクション状態にあるときに、第１アクセス元基地局から送信される第１端末ＩＤ情報と第２端末ＩＤ情報を含む。第１端末ＩＤ情報は、第１アクセス元基地局に対応する第１ＲＡＴリンク配置情報のうちの端末ＩＤである。前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである。
【００１５】
ここで、前記リンク接続要求に基づいて、前記端末のリンクアクセス情報を取得するステップは、前記第１端末ＩＤ情報または前記第２端末ＩＤ情報に基づいて、前記端末のコンテキスト情報を取得するステップを含む。
【００１６】
ここで、前記第１端末ＩＤ情報または前記第２端末ＩＤ情報に基づいて、前記端末のコンテキスト情報を取得するステップは、前記第１アクセス元基地局と前記第２アクセス元基地局の両方に前記端末のコンテキスト情報が保存されているのであれば、前記第１端末ＩＤ情報に基づいて、前記第１アクセス元基地局から前記端末のコンテキスト情報を取得し、または、前記第２端末ＩＤ情報に基づいて、前記第２アクセス元基地局から前記端末のコンテキスト情報を取得すること、前記第１アクセス元基地局に前記端末のコンテキスト情報が保存され、前記第２アクセス元基地局に前記端末のコンテキスト情報が保存されていないのであれば、前記第１端末ＩＤ情報に基づいて、前記第１アクセス元基地局から前記端末のコンテキスト情報を取得すること、前記第２アクセス元基地局に前記端末のコンテキスト情報が保存され、前記第１アクセス元基地局に前記端末のコンテキスト情報が保存されていないのであれば、前記第２端末ＩＤ情報に基づいて、前記第２アクセス元基地局から前記端末のコンテキスト情報を取得することを含む。
【００１７】
ここで、前記リンクアクセス情報に基づいて、前記端末とのコネクションを確立し、前記端末がコアネットワークにアクセスするステップは、前記第２アクセス元基地局とコアネットワークの接続経路の解放を、前記第１アクセス元基地局から前記第２アクセス元基地局に通知し、かつアクセス先基地局のＲＡＴタイプと第２アクセス元基地局のＲＡＴタイプとは同一であれば、前記端末のリンクアクセス情報に基づいて、前記アクセス先基地局とコアネットワークの接続経路を確立し、前記端末が前記アクセス先基地局とコアネットワークの接続経路を介してコアネットワークにアクセスするステップを含む。
【００１８】
ここで、前記端末が前記アクセス先基地局とコアネットワークの接続経路を介してコアネットワークにアクセスするステップの後に、前記方法において、前記第１アクセス元基地局と前記コアネットワークの接続経路の解放を、前記第１アクセス元基地局に通知することをさらに含む。
【００１９】
ここで、前記リンクアクセス情報に基づいて、前記端末とのコネクションを確立し、前記端末がコアネットワークにアクセスするステップは、前記第２アクセス元基地局とコアネットワークの接続経路の一時中断を、前記第１アクセス元基地局から前記第２アクセス元基地局に通知し、かつアクセス先基地局が前記第２アクセス元基地局であれば、前記端末のリンクアクセス情報に基づいて、前記第２アクセス元基地局とコアネットワークの接続経路を回復し、回復した前記第２アクセス元基地局とコアネットワークの接続経路を介して、前記端末がコアネットワークにアクセスするステップを含む。
【００２０】
ここで、回復した前記第２アクセス元基地局とコアネットワークの接続経路を介して、前記端末がコアネットワークにアクセスするステップの後に、前記方法において、前記第１アクセス元基地局と前記コアネットワークの接続経路の一時中断を、前記第１アクセス元基地局に通知することをさらに含む。
【００２１】
ここで、前記リンクアクセス情報に基づいて、前記端末とのコネクションを確立し、前記端末がコアネットワークにアクセスするステップは、前記第２アクセス元基地局とコアネットワークの接続経路の保持を、前記第１アクセス元基地局から前記第２アクセス元基地局に通知するのであれば、前記端末のリンクアクセス情報に基づいて、アクセス先基地局とコアネットワークの接続経路を確立し、前記端末が前記アクセス先基地局とコアネットワークの接続経路を介してコアネットワークにアクセスするステップを含む。
【００２２】
ここで、前記端末が前記アクセス先基地局とコアネットワークの接続経路を介してコアネットワークにアクセスするステップの後に、前記方法において、前記アクセス先基地局とはＲＡＴタイプが同一であるアクセス元基地局に対しコアネットワークとの接続経路の解放を通知することをさらに含む。
【００２３】
ここで、前記リンクアクセス情報に基づいて、前記端末とのコネクションを確立し、前記端末がコアネットワークにアクセスするステップの後に、前記方法において、アクセス先基地局から当該端末に割り当てる端末ＩＤ情報と移動可能な領域が含まれる再配置情報を、前記端末に送信することをさらに含む。
【００２４】
上記技術問題を解決するために、本開示の実施例は、基地局を提供する。当該基地局は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得することに用いられる第３取得モジュールと、前記リンク接続要求に基づいて、前記端末のリンクアクセス情報を取得することに用いられる第４取得モジュールと、前記リンクアクセス情報に基づいて、前記端末とのコネクションを確立し、前記端末がコアネットワークにアクセスすることに用いられる接続モジュールとを含む。
【００２５】
ここで、前記第３取得モジュールは、ダブルコネクション状態からインアクティブ状態へ移行する端末から送信されるリンク接続要求をＲＲＣメッセージによって取得することに用いられる。前記リンク接続要求は、端末がインアクティブ状態より前のダブルコネクション状態にあるときに、第１アクセス元基地局から送信される第１端末ＩＤ情報と第２端末ＩＤ情報を含む。第１端末ＩＤ情報は、第１アクセス元基地局に対応する第１ＲＡＴリンク配置情報のうちの端末ＩＤである。前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである。
【００２６】
上記技術問題を解決するために、本開示の実施例は、端末状態移行の制御方法を提供する。当該方法において、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するステップと、前記端末が前記制御指令に基づいて前記ダブルコネクション状態からインアクティブ状態へ移行するよう、前記端末のダブルコネクション状態からインアクティブ状態への移行を制御する制御指令を前記端末に送信するステップとを含む。
【００２７】
ここで、端末のダブルコネクション状態からインアクティブ状態への移行を制御する制御指令を生成するステップの後に、前記方法において、前記端末に対しインアクティブ状態配置を行う通知メッセージを前記第２アクセス元基地局に送信するステップと、前記第２アクセス元基地局から前記通知メッセージに基づいて送信され、第２所定活動領域および第２端末ＩＤ情報が含まれる第２ＲＡＴリンク配置情報を取得するステップと、前記第２ＲＡＴリンク配置情報と、第１所定活動領域および第１端末ＩＤ情報が含まれる所定の第１ＲＡＴリンク配置情報を前記端末に送信するステップとをさらに含む。
【００２８】
ここで、前記第２アクセス元基地局から前記通知メッセージに基づいて送信された第２ＲＡＴリンク配置情報を取得するステップの前に、前記方法において、前記第２アクセス元基地局に前記端末のコンテキスト情報を送信するステップをさらに含む。よって、前記第２アクセス元基地局は、第２端末ＩＤ情報が付帯されたコンテキスト取得要求をアクセス先基地局から受信すると、前記第２端末ＩＤ情報に基づいて、前記端末のコンテキスト情報を前記第２アクセス元基地局から取得してアクセス先基地局に送信する。
【００２９】
ここで、前記端末のダブルコネクション状態からインアクティブ状態への移行を制御する制御指令を前記端末に送信するステップの後に、前記方法において、前記第１端末ＩＤ情報が付帯されたコンテキスト取得要求をアクセス先基地局から取得するステップと、前記第１端末ＩＤ情報に基づいて、前記端末のコンテキスト情報を取得して前記アクセス先基地局に送信するステップとをさらに含む。
【００３０】
上記技術問題を解決するために、本開示の実施例は、基地局を提供する。当該基地局は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成することに用いられる決定モジュールと、前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられる第１送信モジュールとを含む。
【００３１】
ここで、前記基地局は、前記端末に対しインアクティブ状態配置を行う通知メッセージを前記第２アクセス元基地局に送信することに用いられる第２送信モジュールと、前記第２アクセス元基地局から前記通知メッセージに基づいて送信され、第２所定活動領域および第２端末ＩＤ情報が含まれる第２ＲＡＴリンク配置情報を取得することに用いられる第５取得モジュールと、前記第２ＲＡＴリンク配置情報と、第１所定活動領域および第１端末ＩＤ情報が含まれる所定の第１ＲＡＴリンク配置情報を前記端末に送信することに用いられる第３送信モジュールとをさらに含む。
【００３２】
上記技術問題を解決するために、本開示の実施例は、端末状態移行の制御方法を提供する。当該方法において、端末に対しインアクティブ状態配置を行う通知メッセージを第１アクセス元基地局から取得するステップと、前記通知メッセージに基づいて、第２所定活動領域および第２端末ＩＤ情報が含まれる第２ＲＡＴリンク配置情報を前記第１アクセス元基地局に送信するステップとを含む。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【００３３】
ここで、前記方法において、前記通知メッセージに基づいて、第２ＲＡＴリンク配置情報を前記第１アクセス元基地局に送信するステップの前に、第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することをさらに含む。
【００３４】
上記技術問題を解決するために、本開示の実施例は、基地局を提供する。当該基地局は、端末に対しインアクティブ状態配置を行う通知メッセージを第１アクセス元基地局から取得することに用いられる第６取得モジュールと、前記通知メッセージに基づいて、第２所定活動領域および第２端末ＩＤ情報が含まれる第２ＲＡＴリンク配置情報を前記第１アクセス元基地局に送信することに用いられる第４送信モジュールとを含む。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【００３５】
ここで、前記基地局は、第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することに用いられる第７取得モジュールをさらに含む。
【００３６】
上記技術問題を解決するために、本開示の実施例は、プロセッサと、プロセッサによる操作実行に用いられるデータを記憶することができるメモリと、データの送受信に用いられるトランシーバを含む端末を提供する。前記プロセッサは、メモリからプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から前記トランシーバ経由で取得するプロセスと、前記制御指令に基づいて、前記ダブルコネクション状態からインアクティブ状態への前記端末の移行を制御するプロセスと、インアクティブ状態の前記端末の移動を検出すると、リンク接続要求をアクセス先基地局に前記トランシーバ経由で送信し、前記アクセス先基地局を介してコアネットワークにアクセスするプロセスとを実行することに用いられる。
【００３７】
上記技術問題を解決するために、本開示の実施例は、プロセッサと、プロセッサによる操作実行に用いられるデータを記憶することができるメモリと、データの送受信に用いられるトランシーバを含む基地局を提供する。前記プロセッサは、メモリからプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を前記トランシーバ経由で取得するプロセスと、前記リンク接続要求に基づいて、前記端末のリンクアクセス情報を取得するプロセスと、前記リンクアクセス情報に基づいて、前記端末とのコネクションを確立し、前記端末がコアネットワークにアクセスするプロセスとを実行することに用いられる。
【００３８】
上記技術問題を解決するために、本開示の実施例は、プロセッサと、プロセッサによる操作実行に用いられるデータを記憶することができるメモリと、データの送受信に用いられるトランシーバを含む基地局を提供する。前記プロセッサは、メモリからプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するプロセスと、前記端末が前記制御指令に基づいて前記ダブルコネクション状態からインアクティブ状態へ移行するよう、前記端末のダブルコネクション状態からインアクティブ状態への移行を制御する制御指令を前記端末に前記トランシーバ経由で送信するプロセスとを実行することに用いられる。
【００３９】
上記技術問題を解決するために、本開示の実施例は、プロセッサと、プロセッサによる操作実行に用いられるデータを記憶することができるメモリと、データの送受信に用いられるトランシーバを含む基地局を提供する。前記プロセッサは、メモリからプログラムを読み取ることによって、端末に対しインアクティブ状態配置を行う通知メッセージを第１アクセス元基地局から前記トランシーバ経由で取得するプロセスと、前記通知メッセージに基づいて、第２所定活動領域および第２端末ＩＤ情報が含まれる第２ＲＡＴリンク配置情報を前記第１アクセス元基地局に前記トランシーバ経由で送信するプロセスとを実行することに用いられる。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【発明の効果】
【００４０】
本開示の実施例の上記技術手段において、端末のダブルコネクション状態からインアクティブ状態への移行を制御する制御指令を、第１ＲＡＴで端末と通信する第１アクセス元基地局から取得し、制御指令に基づいて、ダブルコネクション状態からインアクティブ状態への端末の移行を制御し、インアクティブ状態の端末の移動を検出すると、リンク接続要求をアクセス先基地局に送信し、アクセス先基地局を介してコアネットワークにアクセスすることによって、ダブルコネクション状態からインアクティブ状態への端末の移行を実現するとともに、端末のインアクティブ状態での経路遷移を実現し、かつコアネットワークの認証プロセスの一部を飛ばしているため、端末のアクセス時間を大幅に短縮し、ネットワーク効率を向上させる。
【図面の簡単な説明】
【００４１】
本開示の実施例の技術手段をより明確に説明するために、以下、実施例の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、わざわざ実際のサイズにしたがって等比例に収縮または拡大して示してなく、本願の趣旨を示すことにポイントを置く。
【００４２】
【図１】本開示の一部実施例における１つの端末経路遷移方法のフローチャートである。
【図２】本開示の一部実施例における別の端末経路遷移方法のフローチャートである。
【図３】本開示の一部実施例におけるまた別の端末経路遷移方法のやり取りのフローチャートである。
【図４】本開示の端末経路遷移方法の１つの応用シーンでのやりとりのフローチャートである。
【図５】本開示の端末経路遷移方法の別応用シーンでのやりとりのフローチャートである。
【図６】本開示の端末経路遷移方法のまた別の応用シーンでのやりとりのフローチャートである。
【図７】本開示の端末経路遷移方法のさらに別の応用シーンでのやりとりのフローチャートである。
【図８】本開示の一部実施例における端末の構造上のブロック図である。
【図９】本開示の一部実施例におけるさらに別の端末経路遷移方法のフローチャートである。
【図１０】本開示の一部実施例における基地局の構造上のブロック図である。
【図１１】本開示の一部実施例における端末状態移行の制御方法の１つのフローチャートである。
【図１２】本開示の一部実施例における基地局の別の構造上のブロック図である。
【図１３】本開示の一部実施例における端末状態移行の制御方法の別のフローチャートである。
【図１４】本開示の一部実施例における基地局のまた別の構造上のブロック図である。
【図１５】本開示の一部実施例における端末の別の構造上のブロック図である。
【図１６】本開示の一部実施例における基地局のさらに別の構造上のブロック図である。
【発明を実施するための形態】
【００４３】
本開示の実施例の目的、技術手段及び利点をより明確にするために、以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての実施例は、いずれも本開示の保護範囲に属するものである。本開示の実施例は、２つの通信システムの基地局が同時に端末のサービング基地局になる場合、端末状態の移行および経路の遷移という問題を解決した端末経路遷移方法、端末状態移行の制御方法、端末および基地局を提供する。
【００４４】
図１に示すように、本開示の一部実施例の端末経路遷移方法は、端末に応用され、下記ステップを含む。
【００４５】
ステップ１０１において、端末のダブルコネクション状態からインアクティブ状態への移行を制御する制御指令を、第１ＲＡＴで前記端末と通信する第１アクセス元基地局から取得する。前記端末のダブルコネクション状態は、第１ＲＡＴで前記第１アクセス元基地局との通信コネクションが確立されるとともに、第２ＲＡＴで第２アクセス元基地局との通信コネクションが確立される状態である。
【００４６】
ここで、第１アクセス元基地局は、プライマリ基地局であり、第２アクセス元基地局は、セカンダリ基地局であり、第１アクセス元基地局と第２アクセス元基地局は、異なる無線アクセスシステムにおける基地局である。例えば、第１アクセス元基地局は、具体的に５Ｇ基地局であり、第２アクセス元基地局は、ｅＮＢ（ｅｖｏｌｖｅｄ  Ｎｏｄｅ  Ｂ）である。または、第１アクセス元基地局は、ｅＮＢであり、第２アクセス元基地局は、５Ｇ基地局である。
【００４７】
上記第１アクセス元基地局と第２アクセス元基地局は、同時に当該端末のサービング基地局である。端末の一部のサービスが終了し、伝送データが多くない場合、第１アクセス元基地局は、端末のインアクティブ状態への移行を決定し、前記端末のダブルコネクション状態からインアクティブ状態への移行を制御する制御指令を端末に送信する。
【００４８】
ステップ１０２において、前記制御指令に基づいて、前記ダブルコネクション状態からインアクティブ状態への前記端末の移行を制御する。
【００４９】
端末は、上記制御指令を受信すると、前記ダブルコネクション状態からインアクティブ状態へ移行する。
【００５０】
ステップ１０３において、インアクティブ状態の前記端末の移動を検出すると、リンク接続要求をアクセス先基地局に送信し、前記アクセス先基地局を介してコアネットワークにアクセスする。
【００５１】
本開示の実施例において、端末がＲＡＴ別に異なる端末ＩＤ情報を有し、インアクティブ状態の端末が移動し、移動プロセスで端末ＩＤ情報が変化すると、対応するＲＡＴの配置情報によってリンク接続要求を送信する。当該リンク接続要求は、具体的に対応するリンク回復要求またはページング受信要求である。
【００５２】
本開示の実施例の端末経路遷移方法において、端末のダブルコネクション状態からインアクティブ状態への移行を制御する制御指令を、第１ＲＡＴで端末と通信する第１アクセス元基地局から取得し、制御指令に基づいて、ダブルコネクション状態からインアクティブ状態への端末の移行を制御し、インアクティブ状態の端末の移動を検出すると、リンク接続要求をアクセス先基地局に送信し、アクセス先基地局を介してコアネットワークにアクセスすることによって、ダブルコネクション状態からインアクティブ状態への端末の移行を実現するとともに、端末のインアクティブ状態での経路遷移を実現し、かつコアネットワークの認証プロセスの一部を飛ばしているため、端末のアクセス時間を大幅に短縮し、ネットワーク効率を向上させる。
【００５３】
図２に示すように、本開示の一部実施例の端末状態移行方法は、端末に応用され、下記ステップを含む。
【００５４】
ステップ２０１において、端末のダブルコネクション状態からインアクティブ状態への移行を制御する制御指令を、第１ＲＡＴで前記端末と通信する第１アクセス元基地局から取得する。前記端末のダブルコネクション状態は、第１ＲＡＴで前記第１アクセス元基地局との通信コネクションが確立されるとともに、第２ＲＡＴで第２アクセス元基地局との通信コネクションが確立される状態である。
【００５５】
ここで、第１アクセス元基地局は、プライマリ基地局であり、第２アクセス元基地局は、セカンダリ基地局であり、第１アクセス元基地局と第２アクセス元基地局は、異なる無線アクセスシステムにおける基地局である。例えば、第１アクセス元基地局は、具体的に５Ｇ基地局であり、第２アクセス元基地局は、ｅＮＢである。または、第１アクセス元基地局は、ｅＮＢであり、第２アクセス元基地局は、５Ｇ基地局である。
【００５６】
上記第１アクセス元基地局と第２アクセス元基地局は、同時に当該端末のサービング基地局である。端末の一部のサービスが終了し、伝送データが多くない場合、第１アクセス元基地局は、端末のインアクティブ状態への移行を決定し、前記端末のダブルコネクション状態からインアクティブ状態への移行を制御する制御指令を端末に送信する。
【００５７】
ステップ２０２において、第１ＲＡＴリンク配置情報と第２ＲＡＴリンク配置情報を前記第１アクセス元基地局から取得する。ここで、前記第１ＲＡＴリンク配置情報には、第１所定活動領域および第１端末ＩＤ情報が含まれる。前記第２ＲＡＴリンク配置情報には、第２所定活動領域および第２端末ＩＤ情報が含まれる。前記第１アクセス元基地局は、前記第２ＲＡＴリンク配置情報を前記第２アクセス元基地局から取得する。
【００５８】
ここで、第１ＲＡＴリンク配置情報は、第１アクセス元基地局が端末のインアクティブ状態への移行を決定した後に前記端末に対し配置するリンク情報である。ここで、第１端末ＩＤ情報は、端末が第１ＲＡＴで用いるＩＤ情報である。
【００５９】
第２ＲＡＴリンク配置情報は、第１アクセス元基地局が端末のインアクティブ状態への移行を決定した後に、前記端末に対しインアクティブ状態配置を行う通知メッセージを第２アクセス元基地局に送信し、前記第２アクセス元基地局から前記通知メッセージに基づいて送信される情報である。ここで、第２端末ＩＤ情報は、端末が第２ＲＡＴで用いるＩＤ情報である。
【００６０】
ステップ２０３において、前記制御指令に基づいて、前記ダブルコネクション状態からインアクティブ状態への前記端末の移行を制御する。
【００６１】
端末は、上記制御指令を受信すると、ダブルコネクション状態からインアクティブ状態へ移行する。
【００６２】
ステップ２０４において、インアクティブ状態の前記端末の移動を検出すると、リンク接続要求をアクセス先基地局に送信し、前記アクセス先基地局を介してコアネットワークにアクセスする。
【００６３】
具体的に、ＲＲＣメッセージによってリンク接続要求をアクセス先基地局に送信し、前記アクセス先基地局を介してコアネットワークにアクセスする。ここで、前記ＲＲＣメッセージには、前記第１端末ＩＤ情報および／または前記第２端末ＩＤ情報が付帯されている。よって、アクセス先基地局は、対応する端末ＩＤ情報に基づいて、端末のコンテキストを取得し、さらに、当該端末のコンテキストに基づいて、端末とコアネットワークとのコネクションを確立する。
【００６４】
本開示の実施例において、端末は、所定の活動領域内（上記の所定活動領域）で移動しかつＲＡＴの変化があると、対応するＲＡＴのリンク配置情報によってページング受信または対応するリンク回復プロセスを行う。端末は、所定の活動領域（上記の第１所定活動領域と上記第２所定活動領域）から離れると、対応するＲＡＴのリンク配置情報によってリンク回復を行う。
【００６５】
さらに、上記ステップ２０４において、インアクティブ状態の前記端末が前記第１所定活動領域から前記第２所定活動領域に移動しまたは前記第１所定活動領域と前記第２所定活動領域から離れることを検出すると、リンク接続要求をアクセス先基地局に送信し、前記アクセス先基地局を介してコアネットワークにアクセスすることを含んでもよい。
【００６６】
端末は、第１所定活動領域から第２所定活動領域に移動し、すなわち所定の活動領域内で移動するが、ＲＡＴの変化がある場合、リンク接続要求をアクセス先基地局に送信する。端末は、第１所定活動領域で移動しまたは第２所定活動領域内で移動する場合、ハンドオーバプロセスによって位置の更新を行う必要がない。
【００６７】
さらに、上記ステップ２０４において、前記アクセス先基地局は、前記第２アクセス元基地局である。リンク接続要求をアクセス先基地局に送信し、前記アクセス先基地局を介してコアネットワークにアクセスするステップは、前記第２端末ＩＤ情報と第１端末ＩＤ情報が付帯されたリンク接続要求を前記第２アクセス元基地局に送信することを含む。
【００６８】
当該リンク接続要求は、インアクティブ状態に移行する前の端末に接続されるアクセス元基地局のＲＡＴタイプ情報をさらに含んでもよく、アクセス先基地局が、当該ＲＡＴタイプ情報および端末ＩＤ情報に基づいて、インアクティブ状態に移行する前の端末に接続されるアクセス元基地局を正確に特定することに有利である。
【００６９】
前記第１端末ＩＤ情報または前記第２端末ＩＤ情報に基づいて、前記第２アクセス元基地局とのコネクションを回復し、前記第２アクセス元基地局を介してコアネットワークにアクセスする。
【００７０】
第１アクセス元基地局は、端末のインアクティブ状態への移行を決定すると、第２アクセス元基地局に対しコアネットワークとの接続経路の解放または一時中断を通知する。端末のアクセス先基地局が当該第２アクセス元基地局である場合、第２アクセス元基地局は、端末から報告される第１端末ＩＤ情報およびインアクティブ状態に移行する前の端末に接続されるアクセス元基地局のＲＡＴタイプ情報に基づいて、インアクティブ状態に移行する前の端末に接続される第１アクセス元基地局を特定し、第１端末ＩＤ情報に基づいて当該第１アクセス元基地局から端末のコンテキスト情報を取得してリンク回復を行い、第１アクセス元基地局に対し当該ＵＥの解放を通知する。
【００７１】
また、第１アクセス元基地局は、端末のインアクティブ状態への移行を決定すると、当該端末の完全なコンテキスト情報を第２アクセス元基地局に送信して保存し、第２アクセス元基地局に対しコアネットワークとの接続経路の解放または一時中断を通知する。端末のアクセス先基地局が当該第２アクセス元基地局である場合、第２アクセス元基地局は、端末から報告される第２端末ＩＤ情報に基づいて、当該第２アクセス元基地局から端末のコンテキスト情報を取得してリンク回復を行い、第１アクセス元基地局に対し当該ＵＥの解放を通知する。
【００７２】
さらに、上記ステップ２０４において、前記アクセス先基地局は、前記第１アクセス元基地局と前記第２アクセス元基地局以外の基地局である。リンク接続要求をアクセス先基地局に送信し、前記アクセス先基地局を介してコアネットワークにアクセスするステップは、前記第１端末ＩＤ情報と前記第２端末ＩＤ情報が付帯されたリンク接続要求を前記アクセス先基地局に送信することを含む。
【００７３】
当該リンク接続要求は、インアクティブ状態に移行する前の端末に接続されるアクセス元基地局のＲＡＴタイプ情報をさらに含んでもよく、アクセス先基地局が、当該ＲＡＴタイプ情報および端末ＩＤ情報に基づいて、インアクティブ状態に移行する前の端末に接続されるアクセス元基地局を正確に特定することに有利である。
【００７４】
前記第１端末ＩＤ情報または前記第２端末ＩＤ情報に基づいて、前記アクセス先基地局とのコネクションを確立し、前記アクセス先基地局を介してコアネットワークにアクセスする。
【００７５】
ここで、第１アクセス元基地局と第２アクセス元基地局の両方に端末のコンテキスト情報が保存されているのであれば、第１端末ＩＤ情報に基づいて、第１アクセス元基地局から端末のコンテキスト情報を取得し、前記アクセス先基地局とのコネクションを確立し、前記アクセス先基地局を介してコアネットワークにアクセスする。または、第２端末ＩＤ情報に基づいて、第２アクセス元基地局から端末のコンテキスト情報を取得し、前記アクセス先基地局とのコネクションを確立し、前記アクセス先基地局を介してコアネットワークにアクセスする。
【００７６】
前記第１アクセス元基地局に前記端末のコンテキスト情報が保存され、前記第２アクセス元基地局に前記端末のコンテキスト情報が保存されていないのであれば、前記第１端末ＩＤ情報に基づいて、前記第１アクセス元基地局から前記端末のコンテキスト情報を取得し、前記アクセス先基地局とのコネクションを確立し、前記アクセス先基地局を介してコアネットワークにアクセスする。
【００７７】
前記第２アクセス元基地局に前記端末のコンテキスト情報が保存され、前記第１アクセス元基地局に前記端末のコンテキスト情報が保存されていないのであれば、前記第２端末ＩＤ情報に基づいて、前記第２アクセス元基地局から前記端末のコンテキスト情報を取得し、前記アクセス先基地局とのコネクションを確立し、前記アクセス先基地局を介してコアネットワークにアクセスする。
【００７８】
さらに、インアクティブ状態の前記端末の移動を検出すると、リンク接続要求をアクセス先基地局に送信し、前記アクセス先基地局を介してコアネットワークにアクセスするステップの後に、前記状態移行方法において、アクセス先基地局から当該端末に割り当てる端末ＩＤ情報と移動可能な領域が含まれる再配置情報を、前記アクセス先基地局から取得することをさらに含む。
【００７９】
ここで、端末は、アクセス先基地局の再配置情報を受信すると、配置に基づいて、後続の対応する行動を行う。
【００８０】
本開示の実施例の端末経路遷移方法において、端末が２つのシステムに同時に接続される場合、端末がインアクティブ状態へ移行する必要があると判断すると、インアクティブ状態への移行を端末に通知し、それぞれのＲＡＴに対応するリンク配置情報を配置する。各ＲＡＴに対応するリンク配置情報は、所定の活動領域および端末ＩＤ情報を含む。端末は、当該所定活動領域内で移動する場合、ハンドオーバプロセスで位置の更新を行う必要がなく、データ送信がある場合、所定の端末ＩＤ情報に基づいてアクセスプロセスまたは配置回復プロセスを行うことによって、端末のインアクティブ状態での経路遷移を実現し、かつコアネットワークの認証プロセスの一部を飛ばしているため、端末のアクセス時間を大幅に短縮し、ネットワーク効率を向上させる。
【００８１】
本開示の一部実施例において、端末、第１アクセス元基地局、第２アクセス元基地局の間のやり取りのフローを図３に関連して具体的に説明する。
【００８２】
本開示の実施例において、第１アクセス元基地局は、第１ＲＡＴで端末と通信し、第２アクセス元基地局は、第２ＲＡＴで端末と通信し、かつ第１アクセス元基地局と第２アクセス元基地局とは接続されている。
【００８３】
図３に示すように、本開示の実施例のやり取りのフローは、下記ステップを含む。
【００８４】
ステップ３０１において、第１アクセス元基地局は、端末のインアクティブ状態への移行を決定する。
【００８５】
ステップ３０２において、第１アクセス元基地局は、第２アクセス元基地局に対しコアネットワークとのコネクションの解放を通知し、所定活動領域および端末ＩＤ情報を特定する。
【００８６】
ここで所定活動領域は、第１アクセス元基地局が配置する第１所定活動領域および第２アクセス元基地局が配置する第２所定活動領域を含み、端末ＩＤ情報は、第１アクセス元基地局が配置する第１端末ＩＤ情報および第２アクセス元基地局が配置する第２端末ＩＤ情報を含む。
【００８７】
本ステップにおいて、第１アクセス元基地局は、端末のコンテキスト情報を第２アクセス元基地局に選択的に提供する。
【００８８】
ステップ３０３において、端末のインアクティブ状態への移行を指示し、上記所定活動領域および端末ＩＤ情報を提供する。
【００８９】
ステップ３０４において、端末は、所定活動領域の外部に移動し、別システムの基地局のカバーレッジに入る。
【００９０】
図では、第２アクセス元基地局を上記別システムの基地局とする。
【００９１】
ステップ３０５において、端末ＩＤ情報が付帯されたＲＲＣメッセージを第２アクセス元基地局に送信する。
【００９２】
ステップ３０６において、第２アクセス元基地局は、端末ＩＤ情報に基づいて端末のコンテキスト情報を取得し、ＵＥの解放を第１アクセス元基地局に通知する。
【００９３】
第２アクセス元基地局に端末のコンテキスト情報が保存されているのであれば、第２端末ＩＤ情報に基づいて端末のコンテキスト情報を取得するが、そうでなければ、第１端末ＩＤ情報に基づいて、第２アクセス元基地局から端末のコンテキスト情報を取得する。
【００９４】
ステップ３０７において、第２基地局は、端末に再配置情報を送信する。
【００９５】
ここまで、インアクティブ状態での端末の経路遷移が終了する。ここで、システム間で遷移する場合、コアネットワークの認証プロセスの一部を飛ばしているため、端末のアクセス時間を大幅に短縮する。
【００９６】
以下、本開示の実施例の端末経路遷移方法のいくつかの具体的な応用例を列挙して説明する。
【００９７】
１つの応用シーンにおいて、仮に上記第１アクセス元基地局がｅＮＢであり、第２アクセス元基地局が５Ｇ基地局であり、ｅＮＢがプライマリ基地局であり、５Ｇ基地局がセカンダリ基地局であり、２つの基地局が同時に端末のサービング基地局である。
【００９８】
図４に示すように、本開示の実施例の端末経路遷移方法において、下記ステップを含む。
【００９９】
ステップ４０１において、ｅＮＢは、端末のインアクティブ状態への移行を決定する。
【０１００】
ステップ４０２において、ｅＮＢは、端末がインアクティブ状態へ移行する旨の通知メッセージを５Ｇ基地局に送信する。
【０１０１】
ステップ４０３において、５Ｇ基地局は、５Ｇリンク配置情報をｅＮＢに送信し、コアネットワークとのコネクションを解放する。
【０１０２】
当該５Ｇリンク配置情報は、５Ｇ端末ＩＤ情報および第２所定活動領域を含む。
【０１０３】
端末の一部のサービスが終了して伝送データが多くない場合、ｅＮＢは、端末のインアクティブ（ｉｎａｃｔｉｖｅ）状態への移行を決定すると、まず、５Ｇ基地局でＵＥのリンク回復が許容されるか５Ｇ基地局と協議する。許容される場合、５Ｇ基地局は、当該ＲＡＴでＵＥに用いられるインアクティブ状態ユーザ端末ＩＤ（ｉｎａｃｔｉｖｅ  ＵＥ  ＩＤ）および関連する活動領域などの情報を提供し、コアネットワークとのコネクションを解放する必要がある。
【０１０４】
ステップ４０４において、ｅＮＢは、前記端末のダブルコネクション状態からインアクティブ状態への移行を制御する制御指令を前記端末に送信し、ＬＴＥリンク配置情報と５Ｇリンク配置情報を端末に提供する。
【０１０５】
ＬＴＥリンク配置情報は、ＬＴＥ端末ＩＤ情報と第１所定活動領域を含む。ここで、端末のｉｎａｃｔｉｖｅ状態への移行通知をＲＲＣシグナリングで指示し、複数のＲＡＴのｉｎａｃｔｉｖｅ  ＵＥ  ＩＤおよびその活動領域を提供する。
【０１０６】
ステップ４０５において、端末は、インアクティブ状態に移行し、所定活動領域の外部に移動して５Ｇカバーレッジに入り、５Ｇ端末ＩＤとＬＴＥ端末ＩＤが付帯されたＲＲＣメッセージを５Ｇ基地局に送信する。
【０１０７】
ここで、端末が所定活動領域の外部に移動することとは、端末が第１所定活動領域と第２所定活動領域から離れることを指す。
【０１０８】
また、端末は、制御指令を受信してｉｎａｃｔｉｖｅ状態に移行し、関連する配置情報を保存する。端末は、所定活動領域内で移動して別のＲＡＴの活動領域に入ると、対応するＲＡＴの関連配置情報でページング受信またはアップリンク回復を行う。端末は、所定活動領域から離れて別のＲＡＴに入ると、対応するＲＡＴでのＲＲＣ接続確立要求または位置更新要求メッセージまたはＲＲＣ接続回復要求メッセージなどを送信して少なくとも当該ＲＡＴに用いられるｉｎａｃｔｉｖｅ  ＵＥ  ＩＤを付帯させてもよく、ソースＲＡＴのｉｎａｃｔｉｖｅ  ＵＥ  ＩＤとＲＡＴタイプ情報を同時に報告してもよい。
【０１０９】
ステップ４０６において、５Ｇ基地局は、ＬＴＥ端末ＩＤ情報に基づいて、ｅＮＢから端末のコンテキスト情報を取得する。
【０１１０】
５Ｇ基地局は、端末ＩＤ情報を受信すると、提供された情報に基づいて、端末に接続されたアクセス元基地局を判断することができ、それから、当該基地局に対し、ユーザ端末のＵＥ  ｃｏｎｔｅｘｔを取得する要求を送信する。
【０１１１】
なお、ここの５Ｇ基地局は、端末が元々アクセスした５Ｇ基地局とは限らない。
【０１１２】
ステップ４０７において、５Ｇ基地局は、経路遷移要求をコアネットワークに送信する。
【０１１３】
５Ｇ基地局は、上記アクセス元基地局の応答を受信すると、取得したＵＥ  ｃｏｎｔｅｘｔに基づいて、コアネットワークへの経路の遷移を行い、経路を当該５Ｇ基地局に遷移する。
【０１１４】
ステップ４０８において、コアネットワークは、当該端末の接続経路の解放をｅＮＢに通知する。
【０１１５】
ステップ４０９において、コアネットワークは、経路遷移終了情報を５Ｇ基地局に送信する。
【０１１６】
ステップ４１０において、５Ｇ基地局は、再配置情報を端末に送信する。
【０１１７】
当該応用シーンにおいて、当該端末に対し改めて配置した後に、５Ｇ基地局からのデータ送信があれば、端末を接続状態に保持させるが、５Ｇ基地局からのデータ送信がなければ、端末をｉｎａｃｔｉｖｅ状態に移行させると同時に新規のｉｎａｃｔｉｖｅ  ＵＥ  ＩＤを割り当てる。
【０１１８】
別の応用シーンにおいて、仮に上記第１アクセス元基地局が５Ｇ基地局であり、第２アクセス元基地局がｅＮＢであり、５Ｇ基地局がプライマリ基地局であり、ｅＮＢがセカンダリ基地局であり、２つの基地局が同時に端末のサービング基地局である。
【０１１９】
図５に示すように、本開示の実施例の端末経路遷移方法において、下記ステップを含む。
【０１２０】
ステップ５０１において、５Ｇ基地局は、端末のインアクティブ状態への移行を決定する。
【０１２１】
ステップ５０２において、５Ｇ基地局は、端末がインアクティブ状態へ移行する旨の通知メッセージをｅＮＢに送信し、端末のコンテキスト情報を提供する。
【０１２２】
ステップ５０３において、ｅＮＢは、５Ｇ基地局にｅＮＢリンク配置情報を送信し、コアネットワークとのコネクションを解放する。
【０１２３】
当該ＬＴＥリンク配置情報は、ＬＴＥ端末ＩＤ情報および第２所定活動領域を含む。
【０１２４】
端末の一部のサービスが終了して伝送データが多くない場合、５Ｇ基地局は、端末のｉｎａｃｔｉｖｅ状態への移行を決定し、ｅＮＢは、当該ＲＡＴでＵＥに用いられるｉｎａｃｔｉｖｅ  ＵＥ  ＩＤおよび関連する活動領域などの情報をシステム間インタフェースを介して提供し、コアネットワークとのコネクションを解放する。
【０１２５】
ステップ５０４において、ｅＮＢは、前記端末のダブルコネクション状態からインアクティブ状態への移行を制御する制御指令を前記端末に送信し、ＬＴＥリンク配置情報と５Ｇリンク配置情報を端末に提供する。
【０１２６】
５Ｇリンク配置情報は、５Ｇ端末ＩＤ情報と第１所定活動領域を含む。ここで、端末のｉｎａｃｔｉｖｅ状態への移行通知をＲＲＣシグナリングで指示し、複数のＲＡＴのｉｎａｃｔｉｖｅ  ＵＥ  ＩＤおよびその活動領域を提供する。
【０１２７】
ステップ５０５において、端末は、インアクティブ状態に移行し、所定活動領域の外部に移動してｅＮＢのカバーレッジに入り、５Ｇ端末ＩＤとＬＴＥ端末ＩＤが付帯されたＲＲＣメッセージをｅＮＢに送信する。
【０１２８】
ここで、端末が所定活動領域の外部に移動することとは、端末が第１所定活動領域と第２所定活動領域から離れることを指す。
【０１２９】
また、端末は、制御指令を受信してｉｎａｃｔｉｖｅ状態に移行し、関連する配置情報を保存する。端末は、所定活動領域内で移動して別のＲＡＴの活動領域に入ると、対応するＲＡＴの関連配置情報でページング受信またはアップリンク回復を行う。端末は、所定活動領域から離れて別のＲＡＴに入ると、対応するＲＡＴでのＲＲＣ接続確立要求または位置更新要求メッセージまたはＲＲＣ接続回復要求メッセージなどを送信して少なくとも当該ＲＡＴに用いられるｉｎａｃｔｉｖｅ  ＵＥ  ＩＤを付帯させてもよく、ソースＲＡＴのｉｎａｃｔｉｖｅ  ＵＥ  ＩＤとＲＡＴタイプ情報を同時に報告してもよい。
【０１３０】
ステップ５０６において、ｅＮＢは、ＬＴＥ端末ＩＤ情報に基づいて、経路遷移要求をコアネットワークに送信する。
【０１３１】
ｅＮＢは、端末ＩＤ情報を受信すると、自身に格納されているＵＥ  ｃｏｎｔｅｘｔに基づいて、コアネットワークの経路の遷移を行う。
【０１３２】
なお、ここのｅＮＢは、端末が元々アクセスしたｅＮＢとは限らない。
【０１３３】
ステップ５０７において、コアネットワークは、当該端末の接続経路の解放を５Ｇ基地局に通知する。
【０１３４】
ステップ５０８において、コアネットワークは、経路遷移終了情報をｅＮＢに送信する。
【０１３５】
ステップ５０９において、ｅＮＢは、再配置情報を端末に送信する。
【０１３６】
当該応用シーンにおいて、当該端末に対し改めて配置した後に、ｅＮＢからのデータ送信があれば、端末を接続状態に保持させるが、ｅＮＢからのデータ送信がなければ、端末をｉｎａｃｔｉｖｅ状態に移行させると同時に新規のｉｎａｃｔｉｖｅ  ＵＥ  ＩＤを割り当てる。
【０１３７】
以上図４を参照して記載した応用シーンと図５を参照して記載した応用シーンにおいて、端末が元々のカバーレッジから離れてアクセスする基地局は、元々のセカンダリ基地局の基地局とは限らず、図４と図５では単に例示であり、別システムの基地局であることを示す。アクセス先の基地局は、元々のセカンダリ基地局とは異なる基地局であれば、ユーザ端末コンテキスト情報フェッチ（ＵＥ  ｃｏｎｔｅｘｔ  ｆｅｔｃｈ）プロセスで、元のプライマリ基地局またはセカンダリ基地局によって当該ＵＥのｃｏｎｔｅｘｔを取得してそのコネクションを回復する必要がある。
【０１３８】
別の応用シーンにおいて、以上図４を参照して記載した応用シーン１と図５を参照して記載した応用シーン２でのセカンダリ基地局は、コアネットワークとのコネクションを解放せず、当該リンクを一時中断する。端末は、回復リンクにアクセスする場合、コアネットワークと通信することによって、一時中断のリンクを回復する。この場合、経路の遷移を行う必要がなく、元々のプライマリ基地局とコアネットワークとの経路を一時中断し、現在のＲＡＴとコアネットワークとの経路を回復する。
【０１３９】
仮に上記第１アクセス元基地局が５Ｇ基地局であり、第２アクセス元基地局がｅＮＢであり、５Ｇ基地局がプライマリ基地局であり、ｅＮＢがセカンダリ基地局であり、２つの基地局が同時に端末のサービング基地局である。
【０１４０】
図６に示すように、本開示の実施例の端末経路遷移方法において、下記ステップを含む。
【０１４１】
ステップ６０１において、５Ｇ基地局は、端末のインアクティブ状態への移行を決定する。
【０１４２】
ステップ６０２において、５Ｇ基地局は、端末がインアクティブ状態へ移行する旨の通知メッセージをｅＮＢに送信し、端末のコンテキスト情報を提供する。
【０１４３】
ステップ６０３において、ｅＮＢは、５Ｇ基地局にｅＮＢリンク配置情報を送信し、コアネットワークとのコネクションを一時中断する。
【０１４４】
当該ＬＴＥリンク配置情報は、ＬＴＥ端末ＩＤ情報および第２所定活動領域を含む。
【０１４５】
端末の一部のサービスが終了して伝送データが多くない場合、５Ｇ基地局は、端末のｉｎａｃｔｉｖｅ状態への移行を決定し、ｅＮＢは、当該ＲＡＴでＵＥに用いられるｉｎａｃｔｉｖｅ  ＵＥ  ＩＤおよび関連する活動領域などの情報をシステム間インタフェースを介して提供し、コアネットワークとのコネクションを解放する。
【０１４６】
ステップ６０４において、ｅＮＢは、前記端末のダブルコネクション状態からインアクティブ状態への移行を制御する制御指令を前記端末に送信し、ＬＴＥリンク配置情報と５Ｇリンク配置情報を端末に提供する。
【０１４７】
５Ｇリンク配置情報は、５Ｇ端末ＩＤ情報と第１所定活動領域を含む。ここで、端末のｉｎａｃｔｉｖｅ状態への移行通知をＲＲＣシグナリングで指示し、複数のＲＡＴのｉｎａｃｔｉｖｅ  ＵＥ  ＩＤおよびその活動領域を提供する。
【０１４８】
ステップ６０５において、端末は、インアクティブ状態に移行し、所定活動領域の外部に移動してｅＮＢのカバーレッジに入り、５Ｇ端末ＩＤとＬＴＥ端末ＩＤが付帯されたＲＲＣメッセージをｅＮＢに送信する。
【０１４９】
ここで、端末が所定活動領域の外部に移動することとは、端末が第１所定活動領域と第２所定活動領域から離れることを指す。
【０１５０】
また、端末は、制御指令を受信してｉｎａｃｔｉｖｅ状態に移行し、関連する配置情報を保存する。端末は、所定活動領域内で移動して別のＲＡＴの活動領域に入ると、対応するＲＡＴの関連配置情報でページング受信またはアップリンク回復を行う。端末は、所定活動領域から離れて別のＲＡＴに入ると、対応するＲＡＴでのＲＲＣ接続確立要求または位置更新要求メッセージまたはＲＲＣ接続回復要求メッセージなどを送信して少なくとも当該ＲＡＴに用いられるｉｎａｃｔｉｖｅ  ＵＥ  ＩＤを付帯させてもよく、ソースＲＡＴのｉｎａｃｔｉｖｅ  ＵＥ  ＩＤとＲＡＴタイプ情報を同時に報告してもよい。
【０１５１】
ステップ６０６において、ｅＮＢは、ＬＴＥ端末ＩＤ情報に基づいて、経路遷移要求をコアネットワークに送信する。
【０１５２】
ｅＮＢは、端末ＩＤ情報を受信すると、自身に格納されているＵＥ  ｃｏｎｔｅｘｔに基づいて、コアネットワークの経路の遷移を行う。
【０１５３】
なお、ここのｅＮＢは、端末が元々アクセスしたｅＮＢとは限らない。
【０１５４】
ステップ６０７において、ｅＮＢは、コアネットワークとのコネクションを回復する。
【０１５５】
ステップ６０８において、コアネットワークは、ｅＮＢに対し端末との接続経路の一時中断を通知する。
【０１５６】
ステップ６０９において、ｅＮＢは、再配置情報を端末に送信する。
【０１５７】
当該応用シーンにおいて、当該端末に対し改めて配置した後に、ｅＮＢからのデータ送信があれば、端末を接続状態に保持させるが、ｅＮＢからのデータ送信がなければ、端末をｉｎａｃｔｉｖｅ状態に移行させると同時に新規のｉｎａｃｔｉｖｅ  ＵＥ  ＩＤを割り当てる。
【０１５８】
別の応用シーンにおいて、プライマリ基地局は、端末のｉｎａｃｔｉｖｅ状態への移行を決定すると、複数のＲＡＴに関する配置情報を端末に提供する。プライマリ基地局とセカンダリ基地局の両方に当該端末のコンテキスト情報が保存され、端末は、所定活動領域内の任意のＲＡＴでデータ送信またはページングモニタリングをいつでも行うことができる。端末は、所定活動領域の外部に移動すると、任意のＲＡＴからアクセスしてリンク再配置を行う。このプロセスでは、端末は、２つのＲＡＴのＵＥ  ＩＤ情報を提供する。
【０１５９】
仮に第１ＲＡＴプライマリ基地局と第２ＲＡＴセカンダリ基地局が同時に端末のサービング基地局である。
【０１６０】
図７に示すように、本開示の実施例のやり取りのフローは、下記ステップを含む。
【０１６１】
ステップ７０１において、第１ＲＡＴプライマリ基地局は、端末のインアクティブ状態への移行を決定する。
【０１６２】
ステップ７０２において、第１ＲＡＴプライマリ基地局は、端末がインアクティブ状態へ移行する旨の通知メッセージを第２ＲＡＴセカンダリ基地局に送信し、端末のコンテキスト情報を提供する。
【０１６３】
ステップ７０３において、第２ＲＡＴセカンダリ基地局は、第１ＲＡＴプライマリ基地局に第２ＲＡＴリンク配置情報を送信する。
【０１６４】
当該第２ＲＡＩリンク配置情報は、第２ＲＡＴに対応する第２端末ＩＤ情報および第２所定活動領域を含む。
【０１６５】
ステップ７０４において、第１ＲＡＴプライマリ基地局は、前記端末のダブルコネクション状態からインアクティブ状態への移行を制御する制御指令を前記端末に送信し、第２ＲＡＴリンク配置情報と第１ＲＡＴリンク配置情報を端末に提供する。
【０１６６】
第１ＲＡＴリンク配置情報は、第１ＲＡＴに対応する第１端末ＩＤ情報と第１所定活動領域を含む。
【０１６７】
２つの基地局に端末のコンテキスト情報を保存することによって、端末に対し、対応するシステムでのリソースを迅速に回復し、端末のアクセス時間を短縮させる。
【０１６８】
ステップ７０５において、端末は、インアクティブ状態に移行し、所定活動領域の外部に移動し、第１端末ＩＤ情報と第２端末ＩＤ情報が付帯されたＲＲＣメッセージをアクセス基地局に送信する。
【０１６９】
ステップ７０６において、アクセス基地局は、第１端末ＩＤ情報に基づいて、第１ＲＡＴプライマリ基地局から端末のコンテキスト情報を取得する。
【０１７０】
または、ステップ７０７において、アクセス基地局は、第２端末ＩＤ情報に基づいて、第２ＲＡＴセカンダリ基地局から端末のコンテキスト情報を取得する。
【０１７１】
ステップ７０８において、アクセス基地局は、取得したコンテキスト情報に基づいて、コアネットワークに経路遷移要求を送信する。
【０１７２】
ステップ７０９において、コアネットワークは、アクセス基地局とはＲＡＴタイプが同一である第１ＲＡＴプライマリ基地局に対しコアネットワークとの接続経路の解放を通知する。
【０１７３】
または、ステップ７１０において、コアネットワークは、アクセス基地局とはＲＡＴタイプが同一である第２ＲＡＴセカンダリ基地局に対しコアネットワークとの接続経路の解放を通知する。
【０１７４】
ステップ７１１において、コアネットワークは、アクセス基地局に経路遷移終了メッセージを送信する。
【０１７５】
ステップ７１２において、アクセス基地局は、再配置情報を端末に送信する。
【０１７６】
上記各応用シーンにおいて、端末が１つのＲＡＴでアクセスすると、ネットワーク側が端末の接続状態への移行を決定すると、当該ユーザの関連接続または関連ＵＥ  ｃｏｎｔｅｘｔの解放を別の基地局に指示する必要がある。
【０１７７】
本開示の実施例の端末経路遷移方法において、端末のダブルコネクション状態からインアクティブ状態への移行を制御する制御指令を、第１ＲＡＴで端末と通信する第１アクセス元基地局から取得し、制御指令に基づいて、ダブルコネクション状態からインアクティブ状態への端末の移行を制御し、インアクティブ状態の端末の移動を検出すると、リンク接続要求をアクセス先基地局に送信し、アクセス先基地局を介してコアネットワークにアクセスすることによって、ダブルコネクション状態からインアクティブ状態への端末の移行を実現するとともに、端末のインアクティブ状態での経路遷移を実現し、かつコアネットワークの認証プロセスの一部を飛ばしているため、端末のアクセス時間を大幅に短縮し、ネットワーク効率を向上させる。
【０１７８】
図８に示すように、本開示の一部実施例の端末８００は、第１ＲＡＴで第１アクセス元基地局との通信コネクションが確立されるとともに、第２ＲＡＴで第２アクセス元基地局との通信コネクションが確立される状態である前記端末のダブルコネクション状態からインアクティブ状態への前記端末の移行を制御する制御指令を、第１ＲＡＴで前記端末と通信する前記第１アクセス元基地局から取得することに用いられる第１取得モジュール８０１と、前記制御指令に基づいて、前記ダブルコネクション状態からインアクティブ状態への前記端末の移行を制御することに用いられる制御モジュール８０２と、インアクティブ状態の前記端末の移動を検出すると、リンク接続要求をアクセス先基地局に送信し、前記アクセス先基地局を介してコアネットワークにアクセスすることに用いられる処理モジュール８０３とを含む。
【０１７９】
本開示の実施例の端末は、第１所定活動領域および第１端末ＩＤ情報が含まれる第１ＲＡＴリンク配置情報と、第２所定活動領域および第２端末ＩＤ情報が含まれ、前記第１アクセス元基地局が前記第２アクセス元基地局から取得する第２ＲＡＴリンク配置情報を、前記第１アクセス元基地局から取得することに用いられる第２取得モジュール８０４をさらに含む。
【０１８０】
本開示の実施例の端末において、前記処理モジュール８０３は、前記第１端末ＩＤ情報および／または前記第２端末ＩＤ情報が付帯されるＲＲＣメッセージによってリンク接続要求をアクセス先基地局に送信し、前記アクセス先基地局を介してコアネットワークにアクセスすることに用いられる。
【０１８１】
本開示の実施例の端末において、前記処理モジュール８０３は、インアクティブ状態の前記端末が前記第１所定活動領域から前記第２所定活動領域に移動しまたは前記第１所定活動領域と前記第２所定活動領域から離れることを検出すると、リンク接続要求をアクセス先基地局に送信し、前記アクセス先基地局を介してコアネットワークにアクセスすることに用いられる。
【０１８２】
本開示の実施例の端末において、前記アクセス先基地局は、前記第２アクセス元基地局であり、前記処理モジュール８０３は、前記第２端末ＩＤ情報と第１端末ＩＤ情報が付帯されたリンク接続要求を前記第２アクセス元基地局に送信することに用いられる第１送信サブモジュール８０３１と、前記第１端末ＩＤ情報または前記第２端末ＩＤ情報に基づいて、前記第２アクセス元基地局とのコネクションを回復し、前記第２アクセス元基地局を介してコアネットワークにアクセスすることに用いられる回復サブモジュール８０３２とを含む。
【０１８３】
本開示の実施例の端末において、前記アクセス先基地局は、前記第１アクセス元基地局と前記第２アクセス元基地局以外の基地局であり、前記処理モジュール８０３は、前記第１端末ＩＤ情報と前記第２端末ＩＤ情報が付帯されたリンク接続要求を前記アクセス先基地局に送信することに用いられる第２送信サブモジュール８０３３と、前記第１端末ＩＤ情報または前記第２端末ＩＤ情報に基づいて、前記アクセス先基地局とのコネクションを確立し、前記アクセス先基地局を介してコアネットワークにアクセスすることに用いられる接続サブモジュール８０３４とを含む。
【０１８４】
本開示の実施例の端末は、アクセス先基地局から当該端末に割り当てる端末ＩＤ情報と移動可能な領域が含まれる再配置情報を、前記アクセス先基地局から取得することに用いられる第８取得モジュール８０５をさらに含む。
【０１８５】
なお、当該端末は、上記の方法実施例に対応する端末である。上記の方法実施例における全ての実現方式は、いずれも当該端末に実施例に適用し、同一の技術効果を奏することもできる。
【０１８６】
本開示の実施例の端末は、端末のダブルコネクション状態からインアクティブ状態への移行を制御する制御指令を、第１ＲＡＴで端末と通信する第１アクセス元基地局から取得し、制御指令に基づいて、ダブルコネクション状態からインアクティブ状態への端末の移行を制御し、インアクティブ状態の端末の移動を検出すると、リンク接続要求をアクセス先基地局に送信し、アクセス先基地局を介してコアネットワークにアクセスすることによって、ダブルコネクション状態からインアクティブ状態への端末の移行を実現するとともに、端末のインアクティブ状態での経路遷移を実現し、かつコアネットワークの認証プロセスの一部を飛ばしているため、端末のアクセス時間を大幅に短縮し、ネットワーク効率を向上させる。
【０１８７】
図９に示すように、本開示の一部実施例における端末経路遷移方法において、アクセス先基地局に応用され、下記ステップを含む。
【０１８８】
ステップ９０１において、ダブルコネクション状態からインアクティブ状態へ移行する端末から送信されるリンク接続要求を取得する。前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。
【０１８９】
具体的に、ダブルコネクション状態からインアクティブ状態へ移行する端末から送信されるリンク接続要求をＲＲＣメッセージによって取得する。前記リンク接続要求は、端末がインアクティブ状態より前のダブルコネクション状態にあるときに、第１アクセス元基地局から送信される第１端末ＩＤ情報と第２端末ＩＤ情報を含む。第１端末ＩＤ情報は、第１アクセス元基地局に対応する第１ＲＡＴリンク配置情報のうちの端末ＩＤである。前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである。
【０１９０】
上記リンク接続要求は、具体的にＲＲＣ接続確立要求または位置更新要求メッセージまたはＲＲＣ接続回復要求メッセージなどである。当該リンク接続要求は、具体的に、ダブルコネクション状態からインアクティブ状態へ移行する端末が所定活動領域から離れる場合やＲＡＴの変化がある場合に送信される。
【０１９１】
ステップ９０２において、前記リンク接続要求に基づいて、前記端末のリンクアクセス情報を取得する。
【０１９２】
具体的に、前記第１端末ＩＤ情報または前記第２端末ＩＤ情報に基づいて、前記端末のコンテキスト情報を取得する。
【０１９３】
前記第１アクセス元基地局と前記第２アクセス元基地局の両方に前記端末のコンテキスト情報が保存されているのであれば、前記第１端末ＩＤ情報に基づいて、前記第１アクセス元基地局から前記端末のコンテキスト情報を取得し、または、前記第２端末ＩＤ情報に基づいて、前記第２アクセス元基地局から前記端末のコンテキスト情報を取得する。前記第１アクセス元基地局に前記端末のコンテキスト情報が保存され、前記第２アクセス元基地局に前記端末のコンテキスト情報が保存されていないのであれば、前記第１端末ＩＤ情報に基づいて、前記第１アクセス元基地局から前記端末のコンテキスト情報を取得する。前記第２アクセス元基地局に前記端末のコンテキスト情報が保存され、前記第１アクセス元基地局に前記端末のコンテキスト情報が保存されていないのであれば、前記第２端末ＩＤ情報に基づいて、前記第２アクセス元基地局から前記端末のコンテキスト情報を取得する。
【０１９４】
ステップ９０３において、前記リンクアクセス情報に基づいて、前記端末とのコネクションを確立し、前記端末がコアネットワークにアクセスする。
【０１９５】
ここで、前記第２アクセス元基地局とコアネットワークの接続経路の解放を、前記第１アクセス元基地局から前記第２アクセス元基地局に通知し、かつアクセス先基地局のＲＡＴタイプと第２アクセス元基地局のＲＡＴタイプとは同一であれば、前記端末のリンクアクセス情報に基づいて、前記アクセス先基地局とコアネットワークの接続経路を確立し、前記端末が前記アクセス先基地局とコアネットワークの接続経路を介してコアネットワークにアクセスする。
【０１９６】
さらに、前記端末が前記アクセス先基地局とコアネットワークの接続経路を介してコアネットワークにアクセスするステップの後に、前記方法において、前記第１アクセス元基地局と前記コアネットワークの接続経路の解放を、前記第１アクセス元基地局に通知することをさらに含む。
【０１９７】
前記第２アクセス元基地局とコアネットワークの接続経路の一時中断を、前記第１アクセス元基地局から前記第２アクセス元基地局に通知し、かつアクセス先基地局が前記第２アクセス元基地局であれば、前記端末のリンクアクセス情報に基づいて、前記第２アクセス元基地局とコアネットワークの接続経路を回復し、回復した前記第２アクセス元基地局とコアネットワークの接続経路を介して、前記端末がコアネットワークにアクセスする。
【０１９８】
さらに、回復した前記第２アクセス元基地局とコアネットワークの接続経路を介して、前記端末がコアネットワークにアクセスするステップの後に、前記方法において、前記第１アクセス元基地局と前記コアネットワークの接続経路の一時中断を、前記第１アクセス元基地局に通知することをさらに含む。
【０１９９】
前記第２アクセス元基地局とコアネットワークの接続経路の保持を、前記第１アクセス元基地局から前記第２アクセス元基地局に通知するのであれば、前記端末のリンクアクセス情報に基づいて、アクセス先基地局とコアネットワークの接続経路を確立し、前記端末が前記アクセス先基地局とコアネットワークの接続経路を介してコアネットワークにアクセスする。
【０２００】
さらに、前記端末が前記アクセス先基地局とコアネットワークの接続経路を介してコアネットワークにアクセスするステップの後に、前記方法において、前記アクセス先基地局とはＲＡＴタイプが同一であるアクセス元基地局に対しコアネットワークとの接続経路の解放を通知することをさらに含む。
【０２０１】
本開示の実施例の端末経路遷移方法において、前記リンクアクセス情報に基づいて、前記端末とのコネクションを確立し、前記端末がコアネットワークにアクセスするステップの後に、アクセス先基地局から当該端末に割り当てる端末ＩＤ情報と移動可能な領域が含まれる再配置情報を、前記端末に送信することをさらに含む。
【０２０２】
本開示の実施例の端末経路遷移方法において、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得し、前記リンク接続要求に基づいて、前記端末のリンクアクセス情報を取得するし、前記リンクアクセス情報に基づいて、前記端末とのコネクションを確立し、前記端末がコアネットワークにアクセスすることによって、端末のインアクティブ状態での経路遷移を実現し、かつコアネットワークの認証プロセスの一部を飛ばしているため、端末のアクセス時間を大幅に短縮し、ネットワーク効率を向上させる。
【０２０３】
図１０に示すように、本開示の一部実施例の基地局１００は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得することに用いられる第３取得モジュール１００１と、前記リンク接続要求に基づいて、前記端末のリンクアクセス情報を取得することに用いられる第４取得モジュール１００２と、前記リンクアクセス情報に基づいて、前記端末とのコネクションを確立し、前記端末がコアネットワークにアクセスすることに用いられる接続モジュール１００３とを含む。
【０２０４】
本開示の実施例の基地局において、前記第３取得モジュール１００１は、ダブルコネクション状態からインアクティブ状態へ移行する端末から送信されるリンク接続要求をＲＲＣメッセージによって取得することに用いられる。前記リンク接続要求は、端末がインアクティブ状態より前のダブルコネクション状態にあるときに、第１アクセス元基地局から送信される第１端末ＩＤ情報と第２端末ＩＤ情報を含む。第１端末ＩＤ情報は、第１アクセス元基地局に対応する第１ＲＡＴリンク配置情報のうちの端末ＩＤである。前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである。
【０２０５】
本開示の実施例の基地局において、前記第４取得モジュール１００２は、前記第１端末ＩＤ情報または前記第２端末ＩＤ情報に基づいて、前記端末のコンテキスト情報を取得することに用いられる。
【０２０６】
本開示の実施例の基地局において、前記第４取得モジュール１００２は、前記第１アクセス元基地局と前記第２アクセス元基地局の両方に前記端末のコンテキスト情報が保存されていると判断すれば、前記第１端末ＩＤ情報に基づいて、前記第１アクセス元基地局から前記端末のコンテキスト情報を取得し、または、前記第２端末ＩＤ情報に基づいて、前記第２アクセス元基地局から前記端末のコンテキスト情報を取得すること、前記第１アクセス元基地局に前記端末のコンテキスト情報が保存され、前記第２アクセス元基地局に前記端末のコンテキスト情報が保存されていないのであれば、前記第１端末ＩＤ情報に基づいて、前記第１アクセス元基地局から前記端末のコンテキスト情報を取得すること、前記第２アクセス元基地局に前記端末のコンテキスト情報が保存され、前記第１アクセス元基地局に前記端末のコンテキスト情報が保存されていないのであれば、前記第２端末ＩＤ情報に基づいて、前記第２アクセス元基地局から前記端末のコンテキスト情報を取得することに用いられる。
【０２０７】
本開示の実施例の基地局において、前記接続モジュール１００３は、前記第２アクセス元基地局とコアネットワークの接続経路の解放を、前記第１アクセス元基地局から前記第２アクセス元基地局に通知し、かつアクセス先基地局のＲＡＴタイプと第２アクセス元基地局のＲＡＴタイプとは同一であれば、前記端末のリンクアクセス情報に基づいて、前記アクセス先基地局とコアネットワークの接続経路を確立し、前記端末が前記アクセス先基地局とコアネットワークの接続経路を介してコアネットワークにアクセスすることに用いられる。
【０２０８】
本開示の実施例の基地局において、前記第１アクセス元基地局と前記コアネットワークの接続経路の解放を、前記第１アクセス元基地局に通知することに用いられる通知モジュール１００４をさらに含む。
【０２０９】
本開示の実施例の基地局において、前記接続モジュールは、前記第２アクセス元基地局とコアネットワークの接続経路の一時中断を、前記第１アクセス元基地局から前記第２アクセス元基地局に通知し、かつアクセス先基地局が前記第２アクセス元基地局であれば、前記端末のリンクアクセス情報に基づいて、前記第２アクセス元基地局とコアネットワークの接続経路を回復し、回復した前記第２アクセス元基地局とコアネットワークの接続経路を介して、前記端末がコアネットワークにアクセスすることに用いられる。
【０２１０】
本開示の実施例の基地局において、上記通知モジュール１００４は、さらに、前記第１アクセス元基地局と前記コアネットワークの接続経路の一時中断を、前記第１アクセス元基地局に通知することに用いられる。
【０２１１】
本開示の実施例の基地局において、前記接続モジュールは、前記第２アクセス元基地局とコアネットワークの接続経路の保持を、前記第１アクセス元基地局から前記第２アクセス元基地局に通知するのであれば、前記端末のリンクアクセス情報に基づいて、アクセス先基地局とコアネットワークの接続経路を確立し、前記端末が前記アクセス先基地局とコアネットワークの接続経路を介してコアネットワークにアクセスすることに用いられる。
【０２１２】
本開示の実施例の基地局において、上記通知モジュール１００４は、さらに、前記アクセス先基地局とはＲＡＴタイプが同一であるアクセス元基地局に対しコアネットワークとの接続経路の解放を通知することに用いられる。
【０２１３】
本開示の実施例の基地局は、アクセス先基地局から当該端末に割り当てる端末ＩＤ情報と移動可能な領域が含まれる再配置情報を、前記端末に送信することに用いられる配置モジュール１００５をさらに含む。
【０２１４】
本開示の実施例の基地局は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得し、前記リンク接続要求に基づいて、前記端末のリンクアクセス情報を取得するし、前記リンクアクセス情報に基づいて、前記端末とのコネクションを確立し、前記端末がコアネットワークにアクセスすることによって、端末のインアクティブ状態での経路遷移を実現し、かつコアネットワークの認証プロセスの一部を飛ばしているため、端末のアクセス時間を大幅に短縮し、ネットワーク効率を向上させる。
【０２１５】
図１１に示すように、本開示の一部実施例の端末状態移行の制御方法は、下記ステップを含む。
【０２１６】
ステップ１１１において、端末のダブルコネクション状態からインアクティブ状態への移行を制御する制御指令を生成する。ここで、前記端末のダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。
【０２１７】
当該ステップ１１１の後に、前記端末状態移行の制御方法は、前記端末に対しインアクティブ状態配置を行う通知メッセージを前記第２アクセス元基地局に送信するステップと、前記第２アクセス元基地局から前記通知メッセージに基づいて送信され、第２所定活動領域および第２端末ＩＤ情報が含まれる第２ＲＡＴリンク配置情報を取得するステップと、前記第２ＲＡＴリンク配置情報と、第１所定活動領域および第１端末ＩＤ情報が含まれる所定の第１ＲＡＴリンク配置情報を前記端末に送信するステップとをさらに含む。
【０２１８】
さらに、前記第２アクセス元基地局から前記通知メッセージに基づいて送信された第２ＲＡＴリンク配置情報を取得するステップの前に、前記端末状態移行の制御方法において、前記第２アクセス元基地局に前記端末のコンテキスト情報を送信するステップをさらに含む。よって、前記第２アクセス元基地局は、第２端末ＩＤ情報が付帯されたコンテキスト取得要求をアクセス先基地局から受信すると、前記第２端末ＩＤ情報に基づいて、前記端末のコンテキスト情報を前記第２アクセス元基地局から取得してアクセス先基地局に送信する。
【０２１９】
さらに、前記端末のダブルコネクション状態からインアクティブ状態への移行を制御する制御指令を前記端末に送信するステップの後に、前記端末状態移行の制御方法において、前記第１端末ＩＤ情報が付帯されたコンテキスト取得要求をアクセス先基地局から取得するステップと、前記第１端末ＩＤ情報に基づいて、前記端末のコンテキスト情報を取得して前記アクセス先基地局に送信するステップとをさらに含む。
【０２２０】
ステップ１１２において、前記端末が前記制御指令に基づいて前記ダブルコネクション状態からインアクティブ状態へ移行するよう、前記端末のダブルコネクション状態からインアクティブ状態への移行を制御する制御指令を前記端末に送信する。
【０２２１】
本開示の実施例の端末状態移行の制御方法において、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成し、前記端末が前記制御指令に基づいて前記ダブルコネクション状態からインアクティブ状態へ移行するよう、前記端末のダブルコネクション状態からインアクティブ状態への移行を制御する制御指令を前記端末に送信することによって、２つの通信システムが同時にサービング基地局である端末の状態移行を実現する。
【０２２２】
図１２に示すように、本開示の一部実施例の基地局１２００は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成することに用いられる決定モジュール１２０１と、前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられる第１送信モジュール１２０２とを含む。
【０２２３】
本開示の実施例の基地局は、前記端末に対しインアクティブ状態配置を行う通知メッセージを前記第２アクセス元基地局に送信することに用いられる第２送信モジュール１２０３と、前記第２アクセス元基地局から前記通知メッセージに基づいて送信され、第２所定活動領域および第２端末ＩＤ情報が含まれる第２ＲＡＴリンク配置情報を取得することに用いられる第５取得モジュール１２０４と、前記第２ＲＡＴリンク配置情報と、第１所定活動領域および第１端末ＩＤ情報が含まれる所定の第１ＲＡＴリンク配置情報を前記端末に送信することに用いられる第３送信モジュール１２０５とをさらに含む。
【０２２４】
本開示の実施例の基地局は、前記第２アクセス元基地局に前記端末のコンテキスト情報を送信することに用いられる第５送信モジュール１２０６をさらに含む。よって、前記第２アクセス元基地局は、第２端末ＩＤ情報が付帯されたコンテキスト取得要求をアクセス先基地局から受信すると、前記第２端末ＩＤ情報に基づいて、前記端末のコンテキスト情報を前記第２アクセス元基地局から取得してアクセス先基地局に送信する。
【０２２５】
本開示の実施例の基地局は、前記第１端末ＩＤ情報が付帯されたコンテキスト取得要求をアクセス先基地局から取得することに用いられるコンテキスト取得モジュール１２０７と、前記第１端末ＩＤ情報に基づいて、前記端末のコンテキスト情報を取得して前記アクセス先基地局に送信することに用いられる第６送信モジュール１２０８とをさらに含む。
【０２２６】
本開示の実施例の基地局は、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成し、前記端末が前記制御指令に基づいて前記ダブルコネクション状態からインアクティブ状態へ移行するよう、前記端末のダブルコネクション状態からインアクティブ状態への移行を制御する制御指令を前記端末に送信することによって、２つの通信システムが同時にサービング基地局である端末の状態移行を実現する。
【０２２７】
図１３に示すように、本開示の一部実施例の端末状態移行の制御方法において、端末に対しインアクティブ状態配置を行う通知メッセージを第１アクセス元基地局から取得するステップ１３１と、前記通知メッセージに基づいて、第２所定活動領域および第２端末ＩＤ情報が含まれる第２ＲＡＴリンク配置情報を前記第１アクセス元基地局に送信するステップ１３２とを含む。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【０２２８】
さらに、前記状態移行方法において、前記通知メッセージに基づいて、第２ＲＡＴリンク配置情報を前記第１アクセス元基地局に送信するステップの前に、第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することをさらに含む。
【０２２９】
本開示の実施例の端末状態移行の制御方法において、端末に対しインアクティブ状態配置を行う通知メッセージを第１アクセス元基地局から取得し、通知メッセージに基づいて、第２ＲＡＴリンク配置情報を第１アクセス元基地局に送信する。よって、第１アクセス元基地局は、前記第２ＲＡＴリンク配置情報と、所定の第１ＲＡＴリンク配置情報を端末に送信し、端末のダブルコネクション状態からインアクティブ状態への移行を制御して、２つの通信システムが同時にサービング基地局である端末の状態移行を実現する。
【０２３０】
図１４に示すように、本開示の一部実施例の基地局１４００は、端末に対しインアクティブ状態配置を行う通知メッセージを第１アクセス元基地局から取得することに用いられる第６取得モジュール１４０１と、前記通知メッセージに基づいて、第２所定活動領域および第２端末ＩＤ情報が含まれる第２ＲＡＴリンク配置情報を前記第１アクセス元基地局に送信することに用いられる第４送信モジュール１４０２とを含む。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【０２３１】
本開示の実施例の基地局は、第２アクセス元基地局による前記第２アクセス元基地局とコアネットワークの接続経路の解放を制御する第１通知指令を前記第１アクセス元基地局から取得し、前記第１通知指令に基づいて、前記第２アクセス元基地局とコアネットワークの接続経路を解放すること、または、第２アクセス元基地局による前記第２アクセス元基地局とコアネットワークの接続経路の一時中断を制御する第２通知指令を前記第１アクセス元基地局から取得し、前記第２通知指令に基づいて、前記第２アクセス元基地局とコアネットワークの接続経路を一時中断することに用いられる第７取得モジュール１４０３をさらに含む。
【０２３２】
本開示の実施例の基地局は、端末に対しインアクティブ状態配置を行う通知メッセージを第１アクセス元基地局から取得し、通知メッセージに基づいて、第２ＲＡＴリンク配置情報を第１アクセス元基地局に送信する。よって、第１アクセス元基地局は、前記第２ＲＡＴリンク配置情報と、所定の第１ＲＡＴリンク配置情報を端末に送信し、端末のダブルコネクション状態からインアクティブ状態への移行を制御して、２つの通信システムが同時にサービング基地局である端末の状態移行を実現する。
【０２３３】
本開示の一部実施例において、上記目的をさらに実現するために、図１５に示すように、端末をさらに提供している。当該端末は、プロセッサ１５００と、バスインタフェースを介して前記プロセッサ１５００に接続され、前記プロセッサによる操作実行に用いられるプログラムとデータを記憶することに用いられるメモリ１５２０と、バスインタフェースを介してプロセッサ１５００に接続され、ダウンリンク制御チャネルの受信に用いられるトランシーバ１５１０を含む。プロセッサ１５００は、前記メモリ１５２０に格納されているプログラムとデータを呼び出して実行すると、第１ＲＡＴで第１アクセス元基地局との通信コネクションが確立されるとともに、第２ＲＡＴで第２アクセス元基地局との通信コネクションが確立される状態である前記端末のダブルコネクション状態からインアクティブ状態への前記端末の移行を制御する制御指令を、第１ＲＡＴで前記端末と通信する前記第１アクセス元基地局から取得することに用いられる第１取得モジュールと、前記制御指令に基づいて、前記ダブルコネクション状態からインアクティブ状態への前記端末の移行を制御することに用いられる制御モジュールと、インアクティブ状態の前記端末の移動を検出すると、リンク接続要求をアクセス先基地局に送信し、前記アクセス先基地局を介してコアネットワークにアクセスすることに用いられる処理モジュールを実現する。
【０２３４】
プロセッサ１５００は、メモリ１５２０からプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局からトランシーバ１５１０経由で取得するプロセスと、前記制御指令に基づいて、前記ダブルコネクション状態からインアクティブ状態への前記端末の移行を制御するプロセスと、インアクティブ状態の前記端末の移動を検出すると、リンク接続要求をアクセス先基地局にトランシーバ１５１０経由で送信し、前記アクセス先基地局を介してコアネットワークにアクセスするプロセスとを実行することに用いられる。
【０２３５】
トランシーバ１５１０は、プロセッサ１５００の制御でデータを送受信することに用いられる。
【０２３６】
ここで、図１５において、バスアーキテクチャは、任意数の相互接続するバスとブリッジを含み、具体的に、プロセッサ１５００をはじめとする１つ又は複数のプロセッサとメモリ１５２０をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ１５１０は、複数の部品であってもよく、即ち送信機と受信機を含み、伝送媒体でほかの各種類の装置と通信するユニットとして提供される。ユーザ端末によっては、ユーザインタフェース１５３０は、内部接続や外部接続する機器のインタフェースであってもよい。接続する機器は、キーパッド、ディスプレイ、スピーカ、マイクロフォン、ジョイスティックなどを含むが、それらに限られない。
【０２３７】
プロセッサ１５００は、バスアーキテクチャと通常の処理を管理する。メモリ１５２０は、プロセッサ１５００による操作実行に使用されるデータを記憶できる。
【０２３８】
本開示の実施例の端末は、プロセッサ１５００が、端末のダブルコネクション状態からインアクティブ状態への移行を制御する制御指令を、第１ＲＡＴで端末と通信する第１アクセス元基地局から取得すること、制御指令に基づいて、ダブルコネクション状態からインアクティブ状態への端末の移行を制御すること、インアクティブ状態の端末の移動を検出すると、リンク接続要求をアクセス先基地局に送信し、アクセス先基地局を介してコアネットワークにアクセスすることに用いられることによって、ダブルコネクション状態からインアクティブ状態への端末の移行を実現するとともに、端末のインアクティブ状態での経路遷移を実現し、かつコアネットワークの認証プロセスの一部を飛ばしているため、端末のアクセス時間を大幅に短縮し、ネットワーク効率を向上させる。
【０２３９】
本開示の一部実施例において、上記目的をさらに実現するために、図１６に示すように、基地局をさらに提供している。当該基地局は、プロセッサ１６００と、バスインタフェースを介して前記プロセッサ１６００に接続され、前記プロセッサによる操作実行に用いられるプログラムとデータを記憶することに用いられるメモリ１６２０と、バスインタフェースを介してプロセッサ１６００に接続され、データ情報またはパイロットを送信し、さらにアップリンク制御チャネルの受信に用いられるトランシーバ１６１０を含む。プロセッサ１６００は、前記メモリ１６２０に格納されているプログラムとデータを呼び出して実行すると、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得することに用いられる第３取得モジュールと、前記リンク接続要求に基づいて、前記端末のリンクアクセス情報を取得することに用いられる第４取得モジュールと、前記リンクアクセス情報に基づいて、前記端末とのコネクションを確立し、前記端末がコアネットワークにアクセスすることに用いられる接続モジュールを実現する。
【０２４０】
前記プロセッサ１６００は、メモリ１６２０からプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求をトランシーバ１６１０経由で取得するプロセスと、前記リンク接続要求に基づいて、前記端末のリンクアクセス情報をトランシーバ１６１０経由で取得するプロセスと、前記リンクアクセス情報に基づいて、前記端末とのコネクションを確立し、前記端末がコアネットワークにアクセスするプロセスとを実行することに用いられる。
【０２４１】
トランシーバ１６１０は、プロセッサ１６００の制御でデータを送受信することに用いられる。
【０２４２】
ここで、図１６において、バスアーキテクチャは、任意数の相互接続するバスとブリッジを含み、具体的に、プロセッサ１６００をはじめとする１つ又は複数のプロセッサとメモリ１６２０をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバ１６１０は、複数の部品であってもよく、即ち送信機と受信機を含み、伝送媒体でほかの各種類の装置と通信するユニットとして提供される。プロセッサ１６００は、バスアーキテクチャと通常の処理を管理する。メモリ１６２０は、プロセッサ１６００による操作実行に使用されるデータを記憶できる。
【０２４３】
プロセッサ１６００は、バスアーキテクチャと通常の処理を管理する。メモリ１６２０は、プロセッサ１６００による操作実行に使用されるデータを記憶できる。
【０２４４】
本開示の実施例の基地局は、プロセッサ１６００が、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得すること、前記リンク接続要求に基づいて、前記端末のリンクアクセス情報を取得すること、前記リンクアクセス情報に基づいて、前記端末とのコネクションを確立し、前記端末がコアネットワークにアクセスすることに用いられることによって、端末のインアクティブ状態での経路遷移を実現し、かつコアネットワークの認証プロセスの一部を飛ばしているため、端末のアクセス時間を大幅に短縮し、ネットワーク効率を向上させる。
【０２４５】
本開示の一部実施例において、上記目的をさらに実現するために、基地局をさらに提供している。当該基地局は、プロセッサと、バスインタフェースを介して前記プロセッサに接続され、前記プロセッサによる操作実行に用いられるプログラムとデータを記憶することに用いられるメモリと、バスインタフェースを介してプロセッサに接続され、データ情報またはパイロットを送信し、さらにアップリンク制御チャネルの受信に用いられるトランシーバを含む。プロセッサは、前記メモリに格納されているプログラムとデータを呼び出して実行すると、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成することに用いられる決定モジュールと、前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられる第１送信モジュールを実現する。
【０２４６】
前記プロセッサは、メモリからプログラムを読み取ることによって、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するプロセスと、前記端末が前記制御指令に基づいて前記ダブルコネクション状態からインアクティブ状態へ移行するよう、前記端末のダブルコネクション状態からインアクティブ状態への移行を制御する制御指令を前記端末に送信するプロセスを実行することに用いられる。
【０２４７】
トランシーバは、プロセッサの制御でデータを送受信することに用いられる。
【０２４８】
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバは、複数の部品であってもよく、即ち送信機と受信機を含み、伝送媒体でほかの各種類の装置と通信するユニットとして提供される。プロセッサは、バスアーキテクチャと通常の処理を管理する。メモリは、プロセッサによる操作実行に使用されるデータを記憶できる。
【０２４９】
プロセッサは、バスアーキテクチャと通常の処理を管理する。メモリは、プロセッサによる操作実行に使用されるデータを記憶できる。
【０２５０】
本開示の実施例の基地局は、プロセッサが、第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成すること、前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられることによって、２つの通信システムが同時にサービング基地局である端末の状態移行を実現する。
【０２５１】
本開示の一部実施例において、上記目的をさらに実現するために、基地局をさらに提供している。当該基地局は、プロセッサと、バスインタフェースを介して前記プロセッサに接続され、前記プロセッサによる操作実行に用いられるプログラムとデータを記憶することに用いられるメモリと、バスインタフェースを介してプロセッサに接続され、データ情報またはパイロットを送信し、さらにアップリンク制御チャネルの受信に用いられるトランシーバを含む。プロセッサは、前記メモリに格納されているプログラムとデータを呼び出して実行すると、端末に対しインアクティブ状態配置を行う通知メッセージを第１アクセス元基地局から取得することに用いられる第６取得モジュールと、前記通知メッセージに基づいて、第２所定活動領域および第２端末ＩＤ情報が含まれる第２ＲＡＴリンク配置情報を前記第１アクセス元基地局に送信することに用いられる第４送信モジュールとを実現する。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【０２５２】
前記プロセッサは、メモリからプログラムを読み取ることによって、端末に対しインアクティブ状態配置を行う通知メッセージを第１アクセス元基地局から前記トランシーバ経由で取得するプロセスと、前記通知メッセージに基づいて、第２所定活動領域および第２端末ＩＤ情報が含まれる第２ＲＡＴリンク配置情報を前記第１アクセス元基地局にトランシーバ経由で送信するプロセスとを実行することに用いられる。前記通知メッセージは、前記端末のダブルコネクション状態からインアクティブ状態への移行を制御する制御指令が第１アクセス元基地局から生成された後に送信される。前記ダブルコネクション状態は、第１ＲＡＴで前記端末と第１アクセス元基地局との通信コネクションが確立されるとともに、第２ＲＡＴで前記端末と第２アクセス元基地局との通信コネクションが確立される状態である。前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する。
【０２５３】
トランシーバは、プロセッサの制御でデータを送受信することに用いられる。
【０２５４】
ここで、バスアーキテクチャは、任意数の相互接続するバスとブリッジを含み、具体的に、プロセッサをはじめとする１つ又は複数のプロセッサとメモリをはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。トランシーバは、複数の部品であってもよく、即ち送信機と受信機を含み、伝送媒体でほかの各種類の装置と通信するユニットとして提供される。プロセッサは、バスアーキテクチャと通常の処理を管理する。メモリは、プロセッサによる操作実行に使用されるデータを記憶できる。
【０２５５】
本開示の実施例の基地局は、プロセッサが、端末に対しインアクティブ状態配置を行う通知メッセージを第１アクセス元基地局から取得すること、通知メッセージに基づいて、第２ＲＡＴリンク配置情報を第１アクセス元基地局に送信することに用いられることによって、第１アクセス元基地局は、前記第２ＲＡＴリンク配置情報と、所定の第１ＲＡＴリンク配置情報を端末に送信し、端末のダブルコネクション状態からインアクティブ状態への移行を制御して、２つの通信システムが同時にサービング基地局である端末の状態移行を実現する。
【０２５６】
以上の記載は、単に本開示の選択可能の実施例に過ぎず、本開示を限定することに用いられない。本開示の精神と原則内になされたあらゆる修正、等価の置き換えおよび改良などは、いずれも本開示の保護範囲内に含まれるべきである。
【図１】
2019522444.tif 000003
【図２】
2019522444.tif 000004
【図３】
2019522444.tif 000005
【図４】
2019522444.tif 000006
【図５】
2019522444.tif 000007
【図６】
2019522444.tif 000008
【図７】
2019522444.tif 000009
【図８】
2019522444.tif 000010
【図９】
2019522444.tif 000011
【図１０】
2019522444.tif 000012
【図１１】
2019522444.tif 000013
【図１２】
2019522444.tif 000014
【図１３】
2019522444.tif 000015
【図１４】
2019522444.tif 000016
【図１５】
2019522444.tif 000017
【図１６】
2019522444.tif 000018
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
第１ＲＡＴ（Ｒａｄｉｏ  Ａｃｃｅｓｓ  Ｔｅｃｈｎｏｌｏｇｙ）で第１アクセス元基地局との通信コネクションが確立されるとともに、第２ＲＡＴで第２アクセス元基地局との通信コネクションが確立される状態である端末のダブルコネクション状態からインアクティブ状態への前記端末の移行を制御する制御指令を、第１ＲＡＴで前記端末と通信する前記第１アクセス元基地局から取得するステップと、
前記制御指令に基づいて、前記ダブルコネクション状態からインアクティブ状態への前記端末の移行を制御するステップと、
インアクティブ状態の前記端末が移動すると、リンク接続要求をアクセス先基地局に送信し、前記アクセス先基地局を介してコアネットワークにアクセスするステップとを含む端末経路遷移方法。
【請求項２】
前記制御指令に基づいて、前記ダブルコネクション状態からインアクティブ状態への前記端末の移行を制御するステップの前に、
第１ＲＡＴリンク配置情報と第２ＲＡＴリンク配置情報を前記第１アクセス元基地局から取得することをさらに含み、
前記第１ＲＡＴリンク配置情報には、第１所定活動領域および第１端末ＩＤ情報が含まれ、
前記第２ＲＡＴリンク配置情報には、第２所定活動領域および第２端末ＩＤ情報が含まれ、
前記第１アクセス元基地局は、前記第２ＲＡＴリンク配置情報を前記第２アクセス元基地局から取得する請求項１に記載の端末経路遷移方法。
【請求項３】
リンク接続要求をアクセス先基地局に送信し、前記アクセス先基地局を介してコアネットワークにアクセスするステップは、
前記第１端末ＩＤ情報および／または前記第２端末ＩＤ情報が付帯されるＲＲＣメッセージによってリンク接続要求をアクセス先基地局に送信し、前記アクセス先基地局を介してコアネットワークにアクセスすることを含む請求項２に記載の端末経路遷移方法。
【請求項４】
インアクティブ状態の前記端末の移動を検出すると、リンク接続要求をアクセス先基地局に送信し、前記アクセス先基地局を介してコアネットワークにアクセスするステップは、
インアクティブ状態の前記端末が前記第１所定活動領域から前記第２所定活動領域に移動しまたは前記第１所定活動領域と前記第２所定活動領域から離れることを検出すると、リンク接続要求をアクセス先基地局に送信し、前記アクセス先基地局を介してコアネットワークにアクセスすることを含む請求項２または３に記載の端末経路遷移方法。
【請求項５】
前記アクセス先基地局は、前記第２アクセス元基地局であり、
リンク接続要求をアクセス先基地局に送信し、前記アクセス先基地局を介してコアネットワークにアクセスするステップは、
前記第２端末ＩＤ情報と第１端末ＩＤ情報が付帯されたリンク接続要求を前記第２アクセス元基地局に送信することと、
前記第１端末ＩＤ情報または前記第２端末ＩＤ情報に基づいて、前記第２アクセス元基地局とのコネクションを回復し、前記第２アクセス元基地局を介してコアネットワークにアクセスすることを含む請求項２または３に記載の端末経路遷移方法。
【請求項６】
前記アクセス先基地局は、前記第１アクセス元基地局と前記第２アクセス元基地局以外の基地局であり、
リンク接続要求をアクセス先基地局に送信し、前記アクセス先基地局を介してコアネットワークにアクセスするステップは、
前記第１端末ＩＤ情報と前記第２端末ＩＤ情報が付帯されたリンク接続要求を前記アクセス先基地局に送信することと、
前記第１端末ＩＤ情報または前記第２端末ＩＤ情報に基づいて、前記アクセス先基地局とのコネクションを確立し、前記アクセス先基地局を介してコアネットワークにアクセスすることを含む請求項２または３に記載の端末経路遷移方法。
【請求項７】
インアクティブ状態の前記端末の移動を検出すると、リンク接続要求をアクセス先基地局に送信し、前記アクセス先基地局を介してコアネットワークにアクセスするステップの後に、
アクセス先基地局から当該端末に割り当てる端末ＩＤ情報と移動可能な領域が含まれる再配置情報を、前記アクセス先基地局から取得することをさらに含む請求項１に記載の端末経路遷移方法。
【請求項８】
端末であって、
第１ＲＡＴで第１アクセス元基地局との通信コネクションが確立されるとともに、第２ＲＡＴで第２アクセス元基地局との通信コネクションが確立される状態である前記端末のダブルコネクション状態からインアクティブ状態への前記端末の移行を制御する制御指令を、第１ＲＡＴで前記端末と通信する前記第１アクセス元基地局から取得することに用いられる第１取得モジュールと、
前記制御指令に基づいて、前記ダブルコネクション状態からインアクティブ状態への前記端末の移行を制御することに用いられる制御モジュールと、
インアクティブ状態の前記端末の移動を検出すると、リンク接続要求をアクセス先基地局に送信し、前記アクセス先基地局を介してコアネットワークにアクセスすることに用いられる処理モジュールとを含む端末。
【請求項９】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得するステップと、
前記リンク接続要求に基づいて、前記端末のリンクアクセス情報を取得するステップと、
前記リンクアクセス情報に基づいて、前記端末とのコネクションを確立し、前記端末がコアネットワークにアクセスするステップとを含む端末経路遷移方法。
【請求項１０】
ダブルコネクション状態からインアクティブ状態へ移行する端末から送信されるリンク接続要求を取得するステップは、
ダブルコネクション状態からインアクティブ状態へ移行する端末から送信されるリンク接続要求をＲＲＣメッセージによって取得することを含み、
前記リンク接続要求は、端末がインアクティブ状態より前のダブルコネクション状態にあるときに、第１アクセス元基地局から送信される第１端末ＩＤ情報と第２端末ＩＤ情報を含み、
第１端末ＩＤ情報は、第１アクセス元基地局に対応する第１ＲＡＴリンク配置情報のうちの端末ＩＤであり、
前記第２端末ＩＤ情報は、前記第１アクセス元基地局が前記第２アクセス元基地局から取得する情報であって、前記第２アクセス元基地局に対応する第２ＲＡＴリンク配置情報のうちの端末ＩＤである請求項９に記載の端末経路遷移方法。
【請求項１１】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態へ移行する端末から送信されるリンク接続要求を取得することに用いられる第３取得モジュールと、
前記リンク接続要求に基づいて、前記端末のリンクアクセス情報を取得することに用いられる第４取得モジュールと、
前記リンクアクセス情報に基づいて、前記端末とのコネクションを確立し、前記端末がコアネットワークにアクセスすることに用いられる接続モジュールとを含む基地局。
【請求項１２】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成するステップと、
前記端末が前記制御指令に基づいて前記ダブルコネクション状態からインアクティブ状態へ移行するよう、前記端末のダブルコネクション状態からインアクティブ状態への移行を制御する制御指令を前記端末に送信するステップとを含む端末状態移行の制御方法。
【請求項１３】
第１ＲＡＴで第１アクセス元基地局との通信コネクションが確立されるとともに、第２ＲＡＴで第２アクセス元基地局との通信コネクションが確立される状態である端末のダブルコネクション状態からインアクティブ状態への移行を制御する制御指令を生成することに用いられる決定モジュールと、
前記端末が前記制御指令に基づいて前記ダブルコネクション状態からインアクティブ状態へ移行するよう、前記端末のダブルコネクション状態からインアクティブ状態への移行を制御する制御指令を前記端末に送信することに用いられる第１送信モジュールとを含む基地局。
【請求項１４】
端末に対しインアクティブ状態配置を行う通知メッセージを第１アクセス元基地局から取得するステップと、
前記通知メッセージに基づいて、第２所定活動領域および第２端末ＩＤ情報が含まれる第２ＲＡＴリンク配置情報を前記第１アクセス元基地局に送信するステップとを含み、
前記通知メッセージは、前記端末のダブルコネクション状態からインアクティブ状態への移行を制御する制御指令が第１アクセス元基地局から生成された後に送信され、
前記ダブルコネクション状態は、第１ＲＡＴで前記端末と第１アクセス元基地局との通信コネクションが確立されるとともに、第２ＲＡＴで第２アクセス元基地局との通信コネクションが確立される状態であり、
前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する端末状態移行の制御方法。
【請求項１５】
端末に対しインアクティブ状態配置を行う通知メッセージを第１アクセス元基地局から取得することに用いられる第６取得モジュールと、
前記通知メッセージに基づいて、第２所定活動領域および第２端末ＩＤ情報が含まれる第２ＲＡＴリンク配置情報を前記第１アクセス元基地局に送信することに用いられる第４送信モジュールとを含み、
前記通知メッセージは、前記端末のダブルコネクション状態からインアクティブ状態への移行を制御する制御指令が第１アクセス元基地局から生成された後に送信され、
前記ダブルコネクション状態は、第１ＲＡＴで前記端末と第１アクセス元基地局との通信コネクションが確立されるとともに、第２ＲＡＴで第２アクセス元基地局との通信コネクションが確立される状態であり、
前記第１アクセス元基地局は、前記第２ＲＡＴリンク配置情報と、第１所定活動領域および第１端末ＩＤ情報が含まれる所定の第１ＲＡＴリンク配置情報を端末に送信し、端末のダブルコネクション状態からインアクティブ状態への移行を制御する基地局。
【国際調査報告】
2019522444.tif 000019
2019522444.tif 000020
2019522444.tif 000021
2019522444.tif 000022
2019522444.tif 000023
2019522444.tif 000024